(57)【要約】複数の物体の固定を容易にする引込み式ファスナデバイスおよび方法が提供される。引込み式ファスナ（１００）は、第１の側（２２０）および第２の側（２３０）を有する少なくとも１つの構成要素（２１０ａ、２１０ｂ）に画定された開口を通って延び、引込み式ファスナデバイス（１００）が開口から第１の側（２００）を通って選択的に取り外されないように拡開および／または引込み可能なタブデバイス（１３０）をさらに含んでいる。【選択図】図２Ｃ
2008508486.tif 000002
【特許請求の範囲】
【請求項１】
第１の側および第２の側を有する少なくとも１つの構成要素によって画定された開口を通って延びるように構成されたスリーブであって、前記スリーブの第１の部分が前記第１の側の前記開口から延びるように構成され、前記スリーブが前記開口から前記第２の側を通って取り外されないように前記スリーブの前記第１の部分の外側表面のまわりに少なくとも部分的に配置されたフランジを具え、前記スリーブの第２の部分が前記第２の側の前記開口から延びるように構成されたスリーブと、
前記スリーブの前記第１の部分に機能的に取り付けられ、前記第１の側から操作されるよう構成されたアクチュエータデバイスと、
前記スリーブの前記第２の部分に機能的に取り付けられ、前記アクチュエータデバイスと機能的に連結されたタブデバイスとを具え、当該タブデバイスが前記アクチュエータデバイスが操作されると前記アクチュエータデバイスに応答して前記スリーブの前記第２の部分から実質的に横方向で外向きに展開し、これにより前記アクチュエータデバイスと協働して、前記少なくとも１つの構成要素の前記第２の側に選択的に係合し、前記ファスナデバイスが前記フランジと前記タブデバイスとの協働によって前記開口内に実質的に固定されることを特徴とするファスナデバイス。
【請求項２】
前記アクチュエータデバイスが前記スリーブ内に少なくとも部分的に配置されたスラグを有し、前記スラグが前記第１の側からの操作によりその内側表面に対して回転可能に構成され、前記スラグがさらに、前記タブデバイスが前記スリーブの前記第２の部分から実質的に横方向で外向きに展開されるように前記タブデバイスに機能的に連結されていることを特徴とする請求項１に記載のファスナデバイス。
【請求項３】
前記スリーブの前記第２の部分がスリットを規定しており、前記タブデバイスが前記スリーブ内に配置され前記スラグと機能的に連結されており、前記タブデバイスは前記スラグの回転に応じて、前記スラグが第１の方向に回転されると前記スリットを通って拡大位置に実質的に横方向で外向きに展開し、前記スラグが第２の方向に回転されると前記スリットを通って引込み位置に実質的に横方向で内向きに引っ込むよう構成されていることを特徴とする請求項２に記載のファスナデバイス。
【請求項４】
前記スリットがキー溝を具え、前記タブデバイスがさらに前記キー溝に機能的に係合するキー面を具え、前記タブデバイスが前記スラグの回転に応じて実質的に横方向で外向きに展開し実質的に横方向で内向きに引込むことを特徴とする請求項３に記載のファスナデバイス。
【請求項５】
前記第２の方向が前記第１の方向と反対である、請求項３に記載のファスナデバイス。
【請求項６】
前記スリーブの第１の部分に画定されたガイド開口と、
前記スラグに画定されたスラグ開口と、
前記スラグ開口内に配置され、前記スラグ開口から少なくとも部分的に前記ガイド開口を通って径方向で外向きに延びるプラグ挿入部とを具え、前記プラグ挿入部が前記スラグを前記スリーブに対して前記第１の方向および前記第２の方向に回転させることができるように構成されていることを特徴とする請求項３に記載のファスナデバイス。
【請求項７】
前記プラグ挿入部が、
ユーザが手動で前記スラグを回転させることができるように前記ガイド開口および前記スラグ開口を通って延びる割りリングと、
前記スラグ開口を通って延びる直線部分と、前記直線部分から前記ガイド開口を通って延びる湾曲部分とを有する割りＤリングと、
前記ガイド開口から延びるテクスチャ部分に機能的に接続され前記スラグ開口を通って延びる実質的に直線部分を有する直線挿入部であって、前記テクスチャ部分が単一の指先で操作できるように構成された直線挿入部とからなる群から選ばれた構造を含む、請求項６に記載のファスナデバイス。
【請求項８】
前記ガイド開口が、前記引込み位置に対応する第１の位置に前記プラグ挿入部を保持するように構成された第１のキャッチストップおよび前記拡大位置に対応する第２の位置に前記プラグ挿入部を保持するように構成された第２のキャッチストップの少なくとも一方をさらに含む、請求項６に記載のファスナデバイス。
【請求項９】
前記プラグ挿入部が前記第１のキャッチストップおよび前記第２のキャッチストップの少なくとも一方に係合するように延びることができるように構成された１対の外向きにバイアスされた脚部を具え、これにより前記引込み位置に対応する前記第１の位置および前記拡大位置に対応する前記第２の位置の少なくとも一方に前記プラグ挿入部を対応させて保持することを特徴とする請求項８に記載のファスナデバイス。
【請求項１０】
前記スラグが内部を通って延びる管路を画定しており、これにより前記タブデバイスが前記スリーブの前記第２の部分から横方向で外向きに展開されるとき前記第１の側と前記第２の側との間が前記スリーブを通して連絡可能となることを特徴とする請求項２に記載のファスナデバイス。
【請求項１１】
前記スリーブの前記第１の部分に機能的に接続されそこから延びるように構成された延長デバイスをさらに具え、これにより、第２のファスナデバイスから延びる第２の延長デバイスと機能的に連結可能となり、前記少なくとも１つの構成要素が、内側に前記第２のファスナデバイスを通す第２の開口を確定する少なくとも１つの第２の構成要素に取り付け可能となることを特徴とする請求項１に記載のファスナデバイス。
【請求項１２】
前記スリーブの第１の部分に機能的に連結され、そこから延在するよう構成されることにより、コードを機能的に取り付けて当該コードが前記少なくとも１つの構成要素に取り付けられるように構成されたコード受けデバイスをさらに有する、請求項１に記載のファスナデバイス。
【請求項１３】
前記コード受けデバイスが、第２のファスナデバイスのアクチュエータデバイスに選択的に機能的に接続可能であり、当該第２のファスナデバイスのアクチュエータデバイスを動作させて前記タブデバイスを前記第２のファスナデバイスのスリーブの第２の部分から実質的に横方向で外向きに展開させられるよう構成されていることを特徴とする請求項１２に記載のファスナデバイス。
【請求項１４】
前記スリーブの前記第２の部分が、前記少なくとも１つの構成要素に開口を画定できるように構成された穴あけ要素をさらに含む、請求項１に記載のファスナデバイス。
【請求項１５】
第１の側および第２の側を有する少なくとも１つの構成要素によって画定された開口を通って延びるように構成されたスリーブであって、前記スリーブの第１の部分が前記第１の側の前記開口から延びるように構成され、前記スリーブの第２の部分が前記第２の側の前記開口から延びるように構成されたスリーブと、
前記スリーブの前記第１の部分の外側表面のまわりに少なくとも部分的に配置されたナットであって、前記第１の側に対して締められるように構成され、前記スリーブが前記開口から前記第２の側を通って外れるのを選択的に防止するナットと、
前記スリーブの前記第１の部分に機能的に取り付けられており、前記第１の側から操作できるように構成されたアクチュエータデバイスと、
前記スリーブの前記第２の部分に機能的に接続され、前記アクチュエータデバイスと機能的に連動可能なタブデバイスを具え、当該タブデバイスは前記アクチュエータデバイスが動作すると当該アクチュエータデバイスに応答して前記スリーブの第２の部分から実質的に横方向で外向きに展開し、これにより前記タブデバイスが前記アクチュエータデバイスと協働して前記少なくとも１つの構成要素の第２の側に選択的に係合し、したがって、前記ファスナデバイスが前記ナットと前記タブデバイスとの協働によって前記開口内に実質的に固定されることを特徴とするファスナデバイス。
【請求項１６】
前記ナットが、前記ナットから少なくとも部分的に径方向に外向きに延び、前記スリーブの前記第２の部分の方に少なくとも部分的にバイアスされる複数の歯を有するロックワッシャ部分を具え、前記ロックワッシャ部分は、前記ナットが前記少なくとも１つの構成要素の前記第１の側に対して締められるとき前記スリーブの前記第１の部分の方に変形することができるように構成されている、請求項１５に記載のファスナデバイス。
【請求項１７】
さらに、前記アクチュエータデバイスが前記スリーブ内に少なくとも部分的に配置されたスラグを具え、前記スラグが前記第１の側から操作されるときスリーブの内側表面に対して回転できるように構成され、前記スラグが前記スリーブの前記第２の部分から実質的に横方向で外向きに前記タブデバイスを展開させるように前記タブデバイスに機能的に連結している請求項１５に記載のファスナデバイス。
【請求項１８】
前記スリーブの前記第２の部分がスリットを画定しており、前記タブデバイスが前記スリーブ内に配置され、前記スラグに機能的に連結可能であり、前記タブデバイスは前記スラグが回転されたら前記スラグに応答して、前記スラグが第１の方向に回転されると前記スリットを通って拡大位置に実質的に横方向で外向きに展開し、前記スラグが第２の方向に回転されると前記スリットを通って引込み位置に実質的に横方向で内向きに引っ込むことを特徴とする請求項１７に記載のファスナデバイス。
【請求項１９】
前記スリットがキー溝を具え、前記タブデバイスがさらに前記キー溝に機能的に係合するキー面を具え、前記タブデバイスが前記スラグの回転に応じて実質的に横方向で外向きに展開し実質的に横方向で内向きに引込むことを特徴とする請求項１８に記載のファスナデバイス。
【請求項２０】
前記第２の方向が前記第１の方向と反対である、請求項１８に記載のファスナデバイス。
【請求項２１】
前記スリーブの前記第１の部分に画定されたガイド開口と、
前記スラグに画定されたスラグ開口と、
前記スラグ開口内に配置され、前記スラグ開口から少なくとも部分的に前記ガイド開口を通って径方向で外向きに延びるプラグ挿入部とを具え、前記プラグ挿入部が前記スラグを前記スリーブに対して前記第１の方向および前記第２の方向に回転させることができるように構成されていることを特徴とする請求項１８に記載のファスナデバイス。
【請求項２２】
前記ナットは、前記第１の位置と前記第２との位置の間で回転可能であり、前記ナットが前記プラグ挿入部と協働して前記スラグを回転させることができるように前記プラグ挿入部が前記ガイド開口を通って延びる際にそれを受け入れるくぼみを画定し、前記タブデバイスは前記ナットが回転されるとき前記スラグに応答して、前記ナットが前記第１の位置に回転されると前記スリットを通って引込み位置に横方向で内向きに引っ込み、前記ナットが前記第２の位置に回転されると前記スリットを通って拡大位置に横方向で外向きに展開することを特徴とする請求項２１に記載のファスナデバイス。
【請求項２３】
前記スリーブの前記第１の部分がラチェット面を画定しており、前記ナットが前記第２の位置に回転された場合に前記歯止め部材が前記ラチェット面に係止するように、前記ナットが前記スリーブの前記第１の部分の方に径方向で内向きに延びる歯止め部材をさらに含み、これにより、前記タブデバイスが前記拡大位置にあるとき、前記ナットが前記スリーブの前記第２の部分の方に進むことができる、請求項２２に記載のファスナデバイス。
【請求項２４】
前記歯止め部材は、前記ナットとは別にナット周囲でスライドするロッキングリングに機能的に接続されており、前記ナットが歯止め開口を画定し、それを通って延在し前記ラチェット面に係止するように前記歯止め部材が構成されており、前記歯止め部材は実質的に変形可能であり、これにより、前記ロッキングリングが前記ナットに対して摺動されるとき前記歯止め部材を前記ラチェット面から開放するようにさらに構成された、請求項２３に記載のファスナデバイス。
【請求項２５】
前記プラグ挿入部が、
ユーザが手動で前記スラグを回転させられるように前記ガイド開口および前記スラグ開口を通って延びる割りリングと、
前記スラグ開口を通って延びる直線部分と、前記直線部分から前記ガイド開口を通って延びる湾曲部分とを含む割りＤリングと、
前記ガイド開口から延びるテクスチャ部分に機能的に接続され前記スラグ開口を通って延びる実質的な直線部分を含む直線挿入部であって、前記テクスチャ部分が単一の指先によって操作できるように構成される直線挿入部とからなる群から選ばれた構造を含む、請求項２１に記載のファスナデバイス。
【請求項２６】
前記ガイド開口が、前記引込み位置に対応する第１の位置に前記プラグ挿入部を保持するように構成された第１のキャッチストップおよび前記拡大位置に対応する第２の位置に前記プラグ挿入部を保持するように構成された第２のキャッチストップの少なくとも一方をさらに含む、請求項２１に記載のファスナデバイス。
【請求項２７】
前記プラグ挿入部が前記第１のキャッチストップおよび前記第２のキャッチストップの少なくとも一方に係止するように延在可能に構成された１対の外向きにバイアスされた脚を具え、前記引込み位置に対応する前記第１の位置および前記拡大位置に対応する前記第２の位置の少なくとも一方に前記プラグ挿入部を対応して保持することを特徴とする請求項２６に記載のファスナデバイス。
【請求項２８】
前記スラグが内部を通って延びる管路を画定しており、前記タブデバイスが前記スリーブの前記第２の部分から横方向で外向きに展開されるとき前記第１の側と前記第２の側との間で前記スリーブを通して連絡可能であることを特徴とする請求項１７に記載のファスナデバイス。
【請求項２９】
前記スリーブの第１の部分に機能的に接続されそこから延在するよう構成された延長デバイスをさらに具え、これが第２のファスナデバイスから延びる第２の延長デバイスに機能的に接続され、これにより、前記少なくとも１つの構成要素が、第２の開口を画定しそれを通って延びる前記第２のファスナデバイスを有する少なくとも１つの第２の構成要素に取り付け可能であることを特徴とする請求項１５に記載のファスナデバイス。
【請求項３０】
前記スリーブの前記第１の部分に機能的に接続されそこから延在するよう構成されたコード受けデバイスをさらに具え、コードを前記少なくとも１つの構成要素に取り付けられるように当該コードを機能的に取り付け可能に構成された請求項１５に記載のファスナデバイス。
【請求項３１】
前記コード受けデバイスが、第２のファスナデバイスの前記スリーブの前記第２の部分から実質的に横方向で外向きに前記タブデバイスを展開すべく前記第２のファスナデバイスの前記アクチュエータデバイスを作動させることができるように、前記第２のファスナデバイスの前記アクチュエータデバイスに選択的に機能的に連結可能にさらに構成される、請求項３０に記載のファスナデバイス。
【請求項３２】
前記スリーブの前記第２の部分が前記少なくとも１つの構成要素に前記開口を画定することができるように構成された穴あけ要素をさらに含む、請求項１５に記載のファスナデバイス。
【請求項３３】
第１の側および第２の側を有する少なくとも１つの構成要素によって画定された開口を通って延びるように構成されたスリーブであって、前記スリーブの第１の部分が前記第１の側の前記開口から延びるように構成され、前記スリーブの第２の部分が前記第２の側の前記開口から延びるように構成され、前記第２の部分がスリットと、前記スリットと連絡するカムチャンバとを画定するスリーブと、
前記スリーブ内に少なくとも部分的に配置され、それの内側表面に対して回転することができるように構成されたスラグであって、前記スリットを画定する前記スリーブの前記第２の部分の方にそこから延びる少なくとも１つのピンを有するスラグと、
前記カムチャンバ内に配置され、前記少なくとも１つのピンを受け入れるピン開口を画定するタブデバイスであって、前記スラグが第１の方向に回転されるとき前記カムチャンバから前記スリットを通って拡大位置に横方向で外向きに展開し、前記スラグが第２の方向に回転されるとき前記スリットを通って前記カムチャンバ内の引込み位置に横方向で内向きに引っ込むように前記スラグが回転されるとき前記タブデバイスを通って延びる前記少なくとも１つのピンに応答し、それによって前記スリーブが前記開口から前記第１の側を通って選択的に取り外されないように前記スラグと協働するタブデバイスとを有するファスナデバイス。
【請求項３４】
前記タブデバイスが前記引込み位置から前記拡大位置まで拡開させるべく、前記スラグが前記スリーブの前記内側表面に対して約２分の１未満の回転を行うことができるように構成される、請求項３３に記載のファスナデバイス。
【請求項３５】
前記タブデバイスを前記引込み位置から前記拡大位置まで拡開させるべく、前記スラグが前記スリーブの前記内側表面に対して約４分の１回転を行うことができるように構成される、請求項３３に記載のファスナデバイス。
【請求項３６】
前記スリーブの前記第１の部分に画定されたガイド開口と、
前記スラグに画定されたスラグ開口と、
前記スラグ開口内に配置され、前記スラグ開口から少なくとも部分的に前記ガイド開口を通って径方向で外向きに延びるプラグ挿入部であって、前記スリーブに対して前記第１の方向および前記第２の方向に前記スラグを回転させることができるように構成されるプラグ挿入部とをさらに有する請求項３３に記載のファスナデバイス。
【請求項３７】
前記スリーブが前記開口から前記第２の側を通って取り外されないように前記スリーブの前記第１の部分の外側表面のまわりに少なくとも部分的に配置されたフランジをさらに有する、請求項３６に記載のファスナデバイス。
【請求項３８】
前記スリーブが前記開口から前記第２の側を通って選択的に取り外されないように前記第１の側に対して締めることができるように構成された前記スリーブの前記第１の部分の外側表面のまわりに少なくとも部分的に配置されたナットをさらに有する、請求項３６に記載のファスナデバイス。
【請求項３９】
前記ナットは、前記第１の位置と前記第２の位置との間で回転可能であり、前記プラグ挿入部が前記ガイド開口を通って延びるときそれを受け入れるくぼみを画定し、したがって、前記ナットがプラグ挿入部と協働して前記スラグを回転させることができ、前記タブデバイスは、前記ナットが前記第１の位置に回転されるとき前記スリットを通って引込み位置に横方向で内向きに引っ込み、前記ナットが前記第２の位置に回転されるとき前記スリットを通って拡大位置に横方向で外向きに展開するように前記ナットが回転されるとき前記スラグに応答する、請求項３８に記載のファスナデバイス。
【請求項４０】
前記スリーブの前記第１の部分がラチェット面を画定し、前記ナットが前記第２の位置に回転されるとき前記歯止め部材が前記ラチェット面に係止できるように、前記ナットが前記スリーブの前記第１の部分の方に径方向で内向きに延びる歯止め部材をさらに含み、したがって、前記タブデバイスが前記拡大位置にあるとき、前記ナットが前記スリーブの前記第２の部分の方に進むことができる、請求項３９に記載のファスナデバイス。
【請求項４１】
前記歯止め部材は、前記ナットとは別にナット周囲でスライドするロッキングリングに機能的に接続されており、前記ナットが歯止め開口を画定し、それを通って延在し前記ラチェット面に係止するように前記歯止め部材が構成されており、前記歯止め部材は実質的に変形可能であり、これにより、前記ロッキングリングが前記ナットに対して摺動されるとき前記歯止め部材を前記ラチェット面から開放するようにさらに構成された、請求項４０に記載のファスナデバイス。
【請求項４２】
前記プラグ挿入部が、ユーザが手動で前記スラグを回転させることができるように前記ガイド開口および前記スラグ開口を通って延びる割りリングと、
前記スラグ開口を通って延びる直線部分と、前記直線部分から前記ガイド開口を通って延びる湾曲部分とを含む割りＤリングと、
前記ガイド開口から延びるテクスチャ部分に機能的に接続され前記スラグ開口を通って延びる実質的な直線部分を含む直線挿入部であって、前記テクスチャ部分が単一の指先によって操作可能に構成される直線挿入部とからなる群から選ばれた構造を含む、請求項３６に記載のファスナデバイス。
【請求項４３】
前記ガイド開口が、前記引込み位置に対応する第１の位置に前記プラグ挿入部を保持するように構成された第１のキャッチストップおよび前記拡大位置に対応する第２の位置に前記プラグ挿入部を保持するように構成された第２のキャッチストップの少なくとも一方をさらに含む、請求項３６に記載のファスナデバイス。
【請求項４４】
前記プラグ挿入部が前記第１のキャッチストップおよび前記第２のキャッチストップの少なくとも一方に係止するよう延在可能に構成された１対の外向きにバイアスされた脚を具え、前記引込み位置に対応する前記第１の位置および前記拡大位置に対応する前記第２の位置の少なくとも一方に前記プラグ挿入部を対応して保持することを特徴とする請求項４３に記載のファスナデバイス。
【請求項４５】
前記スラグが内部を通って延びる管路を画定しており、これにより前記タブデバイスが前記スリットを通って横方向で外向きに展開されるとき前記第１の側と前記第２の側との間で前記スリーブを通して連絡可能となることを特徴とする請求項３３に記載のファスナデバイス。
【請求項４６】
前記スリーブの前記第１の部分に機能的に接続されそこから延びるように構成された延長デバイスをさらに具え、これにより、第２のファスナデバイスから延びる第２の延長デバイスと機能的に連結可能となり、前記少なくとも１つの構成要素が、内側に前記第２のファスナデバイスを通す第２の開口を確定する少なくとも１つの第２の構成要素に取り付け可能となることを特徴とする請求項３３に記載のファスナデバイス。
【請求項４７】
前記スリーブの第１の部分に機能的に連結され、そこから延在するよう構成されることにより、コードを機能的に取り付けて当該コードが前記少なくとも１つの構成要素に取り付けられるように構成されたコード受けデバイスをさらに有する、請求項３３に記載のファスナデバイス。
【請求項４８】
前記コード受けデバイスが、第２のファスナデバイスのスラグに選択的に機能的に接続可能であり、当該第２のファスナデバイスの前記スラグを動作させて前記タブデバイスを前記第２のファスナデバイスのスリーブの第２の部分から実質的に横方向で外向きに展開させられるよう構成されていることを特徴とする請求項４７に記載のファスナデバイス。
【請求項４９】
前記スリーブの前記第２の部分が前記少なくとも１つの構成要素に前記開口を画定することができるように構成された穴あけ要素をさらに含む、請求項３３に記載のファスナデバイス。
【請求項５０】
第１の側および第２の側を有する少なくとも１つの構成要素によって画定された開口を通って延びるように構成されたスリーブであって、前記スリーブの第１の部分が前記第１の側の前記開口から延びるように構成され、前記スリーブの第２の部分が前記第２の側の前記開口から延びるように構成され、前記第２の部分がスリットを画定するスリーブと、
前記スリーブ内に少なくとも部分的に配置され、その内側表面に対して回転することができるように構成されたスラグであって、前記スリットを画定する前記スリーブの前記第２の部分の方にそこから延びる少なくとも１つのピンを有するスラグと、
前記スリーブ内に少なくとも部分的に配置され、前記少なくとも１つのピンに機能的に連動可能なタブデバイスであって、前記スラグが第１の方向に回転されると前記スリットを通って拡大位置に横方向で外向きに展開し、前記スラグが第２の方向に回転されると前記スリットを通って引込み位置に横方向で内向きに引っ込むように前記スラグが回転されるとき前記少なくとも１つのピンに応答し、それによって前記スリーブが前記開口から前記第１の側を通って選択的に取り外されないように前記スラグと協働するタブデバイスとを有するファスナデバイス。
【請求項５１】
前記タブデバイスを前記引込み位置から前記拡大位置まで拡開するように、前記スラグが前記スリーブの前記内側表面に対して約２分の１未満の回転を行うことができるように構成される、請求項５０に記載のファスナデバイス。
【請求項５２】
前記第２の方向が前記第１の方向と反対である、請求項５０に記載のファスナデバイス。
【請求項５３】
前記タブデバイスが前記少なくとも１つのピンを受け入れることができるように構成されたガイドスロットをさらに含み、前記ガイドスロットが、前記タブデバイスを前記引込み位置に保持するように構成された第１のキャッチストップおよび前記タブデバイスを前記拡大位置に保持するように構成された第２のキャッチストップを有する、請求項５０に記載のファスナデバイス。
【請求項５４】
前記スリーブの前記第２の部分が、フロアと、前記スリーブの前記第１の部分の方に前記フロアから延びる少なくとも１つのスプリングピンとをさらに含み、前記少なくとも１つのスプリングピンが前記タブデバイスに機能的に連結され、これにより前記スラグが前記第１の方向に回転されると前記スリットを通って拡大位置に横方向で外向きに展開し、前記スラグが前記第２の方向に回転されると前記スリットを通って引込み位置に横方向で内向きに引っ込むように前記タブデバイスが前記少なくとも１つのスプリングピンのまわりで回転することができる、請求項５０に記載のファスナデバイス。
【請求項５５】
前記スリーブと前記スラグに少なくとも部分的に隣接して配置されたプラグをさらに有し、これにより、前記スラグが前記スリーブから前記第１の側を通って取り外されないように前記プラグは前記スリーブによって保持することができるように構成される、請求項５０に記載のファスナデバイス。
【請求項５６】
前記プラグが、前記スリーブに対して前記第１の方向および前記第２の方向に前記スラグを回転させることができるようにさらに構成される、請求項５５に記載のファスナデバイス。
【請求項５７】
前記スリーブが前記開口から前記第２の側を通って選択的に取り外されないように前記第１の側に対して締めることができるように構成され前記スリーブの前記第１の部分の外側表面のまわりに少なくとも部分的に配置されたナットをさらに有する、請求項５０に記載のファスナデバイス。
【請求項５８】
前記スリーブが前記開口から前記第２の側を通って取り外されないように前記スリーブの前記第１の部分の外側表面から延びる突出フランジをさらに有する、請求項５０に記載のファスナデバイス。
【請求項５９】
前記タブデバイスが前記スリットを通って横方向で外向きに拡開されたとき前記第１の側と前記第２の側との間で前記スリーブを通して連絡することができるように前記スラグがそれを通って延びる管路を画定する、請求項５０に記載のファスナデバイス。
【請求項６０】
第２のファスナデバイスから延びる少なくとも第２の延長デバイスに機能的に接続可能であり、したがって、前記少なくとも１つの構成要素が、第２の開口を画定しそれを通って延びる前記第２のファスナデバイスを有する少なくとも１つの第２の構成要素に取り付けることができるように、それ自体から延びるように構成された前記スリーブの前記第１の部分に動作可能にかみ合わされた延長デバイスをさらに有する、請求項５０に記載のファスナデバイス。
【請求項６１】
前記コードを前記少なくとも１つの構成要素に取り付けるべくコードに機能的に取り付け可能にさらに構成され、前記スリーブの前記第１の部分に機能的に接続され、前記スリーブから延びるように構成されているコード受けデバイスをさらに有する、請求項５０に記載のファスナデバイス。
【請求項６２】
前記コード受けデバイスが、前記第２のファスナデバイスの前記スリーブの前記第２の部分から横方向で外向きに前記タブデバイスを拡開すべく前記第２のファスナデバイスの前記スラグを操作できるように、前記第２のファスナデバイスの前記スラグに選択的に機能的に接続可能にさらに構成される、請求項６１に記載のファスナデバイス。
【請求項６３】
前記スリーブの前記第２の部分が前記少なくとも１つの構成要素に前記開口を画定することができるように構成された穴あけ要素をさらに含む、請求項５０に記載のファスナデバイス。
【請求項６４】
スリーブを有するファスナデバイスを第１の側および第２に側を有する少なくとも１つの構成要素に取り付けるのを容易にする方法であって、
スリーブの第１の部分が第１の側の開口から延び、スリーブの第２の部分が第２の側の開口から延びるように少なくとも１つの構成要素によって画定された開口を通してファスナデバイスを挿入するステップと、
前記スリーブが前記開口から前記第１の側を通って選択的に取り外されないように前記スリーブの前記第２の部分から実質的に横方向で外向きに前記タブデバイスを拡開すべく前記第１の側からのアクチュエータデバイスを作動させるステップとを含む方法。
【請求項６５】
前記スリーブが前記開口から前記第２の側を通って選択的に取り外されないように前記ナットが前記第１の側に対して固定されるように前記スリーブの前記第１の部分の外側表面のまわりに少なくとも部分的に配置されたナットを締めるステップをさらに含む、請求項６４に記載の方法。
【請求項６６】
前記第１の側に対して締付け位置に前記ナットをロックするステップをさらに含む、請求項６５に記載の方法。
【請求項６７】
前記スリーブが前記開口から前記第２の側を通って取り外されないように前記スリーブの前記第１の部分の外側表面のまわりに少なくとも部分的に配置されたフランジを設けるステップをさらに含む、請求項６４に記載の方法。
【請求項６８】
前記作動させるステップが、前記スリーブに対して第１の方向に前記スリーブ内に少なくとも部分的に配置されたスラグアクチュエータを回転させるステップであって、前記スラグアクチュエータが前記タブデバイスに機能的に接続して、前記スリーブが前記開口から前記第１の側を通って選択的に取り外されないように前記タブデバイスを前記スリーブの前記第２の部分によって画定されたスリットを通って拡大位置に展開させることができるようにさらに構成されるステップをさらに含む、請求項６４に記載の方法。
【請求項６９】
前記スラグアクチュエータを前記スリーブに対して第２の方向に回転されて前記スリットを通って引込み位置に前記タブデバイスを引き込ませるステップをさらに含む、請求項６８に記載の方法。
【請求項７０】
前記スラグアクチュエータが前記スリーブから前記第１の側を通って取り外されないように前記スリーブおよび前記スラグアクチュエータに少なくとも部分的に隣接して配置されるプラグを適用するステップをさらに含む、請求項６９に記載の方法。
【請求項７１】
前記プラグが前記スラグアクチュエータを前記スリーブに対して前記第１の方向および前記第２の方向に回転させることができるようにさらに構成されており、前記プラグを使用して前記第１の方向および前記第２の方向に前記スラグアクチュエータを回転させるステップをさらに含む、請求項７０に記載の方法。
【請求項７２】
前記スリーブおよび前記スラグアクチュエータに対してロック位置に前記プラグを保持するステップをさらに含む、請求項７０に記載の方法。
【発明の詳細な説明】
【技術分野】
【０００１】
本発明は、一般に少なくとも１つの構成要素に画定された共通の開口を通って延びるように構成されたファスナデバイスに関し、特に少なくとも１つの構成要素に画定された開口を通って第１の側から第２の側に延び、第２の側で該引込み式ファスナから横方向で外向きに延在するタブデバイスを作動させることによって開口内に選択的に保持することができる引込み式ファスナを提供する。より詳細には、本発明の引込み式ファスナデバイスおよび方法により、引込み式ファスナデバイスは、タブデバイスを引っ込め、引込み式ファスナデバイスを第１の側の方に引っ張ることによって開口から選択的に取り外すことができる。
【背景技術】
【０００２】
ブラインドファスナなどの特別なファスナは、第１の側および第２の側を有する薄板材料に画定された開口を通って延びるのにしばしば使用される。そのようなファスナは、通常、開口を通って延び、次いで第１の側から操作すると薄板材料の第２の側で拡大して掛かり止まり、ブラインドファスナが開口内に固定される。これらのファスナは、材料の１つの側が容易にアクセスできない２つ以上の薄板材料を一緒に固定するのにもしばしば使用される。
【０００３】
いくつかのタイプの取外し可能なブラインドファスナも第１の側と第２の側を有する２つの金属薄板層を固定するのに知られており、該ファスナは開口を通って挿入されて金属薄板層を固定することができる。例えば、特許文献１は、回転式固定脚をもつ取外し可能なブラインドファスナを開示しており、脚がブラインドファスナの本体に対して回転して２層の金属薄板の第２の側にかみ合うことができる。しかし、特許文献１では、第２の側に回転式固定脚をかみ合わせるのに金属薄板層を通って挿入されなければならない追加のボルトを使用して、回転式固定脚を第２の側に固定することが必要である。さらに、特許文献１では、ワイヤーが通り抜けている回転式脚をかみ合わせるのに波状端部を有するワイヤーによって脚を第２の側と接して回転させることが必要である。したがって、引込み式ブラインドファスナは、回転式脚を第２の側にかみ合わせるようにワイヤーを動作させること、ならびに回転式脚を第２の側に固定するように少なくとも２つの別個のボルトを取り付けることが必要である。
【０００４】
別のタイプのブラインドファスナには、取外しと再使用も可能である「プッシュタイプ」ファスナが含まれる。そのようなプッシュタイプファスナは、ブラインドファスナがどのような工具も使用せずに手動で取付けおよび取外しができるようにプッシュボルトを滑らせるスリーブを含むことがある。例えば、特許文献２は、それに画定された単一の環状のロック・解除用溝を有するプッシュボルトにスライド可能にかみ合わされるスリーブを含むプッシュタイプブラインドファスナを開示している。スリーブに取り付けられ、スリーブに対して内側に弾性的にバイアスされた弾性のロック・固定用タブにかみ合うように、プッシュボルトは第１の位置に押し進めることができる。第１の位置で、プッシュボルトは、加工物のアクセスできない表面にかみ合わせるように弾性のロック・固定用タブを横方向で外向きに動かして、加工物に画定された開口に対してスリーブを固定するように位置を定めることができる。さらに、特許文献２のブラインドファスナは、環状のロック・固定用溝が弾性のロック・固定用タブと整列することになるようにプッシュボルトを第２の位置に押し進めることができ、その結果、ロック・固定用タブがスリーブに対して内側にバイアスされた位置に戻るので加工物のアクセスできない表面とのかみ合わせが解除され、スリーブ（およびブラインドファスナ）を開口から完全に取り外せるようにしている。特許文献２のブラインドファスナは工具を使用せず容易に操作できるが、ブラインドファスナは第２の位置までプッシュボルトを移動させると容易に取り外せるため、取外しを望まない場合もブラインドファスナが不用意に取り外されることがある。さらに、特許文献２のブラインドファスナの弾性のロック・固定用タブは疲労し、その結果、固定タブが最終的に弾性の内向きのバイアスを失なうので繰返し使用するとブラインドファスナが取り外せなくなることがある。さらに、特許文献２のブラインドファスナは弾性のロック・固定用タブとブラインドファスナの頭部との間の距離の調整ができず、したがって、ブラインドファスナは弾性のロック・固定用タブとブラインドファスナの頭部との間の距離に等しい単一の固定の厚さを有する加工物しか確実に適切に固定できない。
【０００５】
他のタイプのブラインドファスナは、開口を通して１つまたは２以上の薄板材料のアクセスできない側に係合するスプリング機構を備えるものがある。そのようなスプリング機構はアクセスできない側に迅速に係合するが、スプリング機構を元に戻す機構がない。したがって、そのようなスプリング機構ブラインドファスナはアクセスできない側に係合した後、開口を通して取り外すことができない。例えば、特許文献３は、加工物を一緒に固定する解除可能な取付けデバイスを説明しており、取付けデバイスのシャンクの環状のくぼみ内に配置された堅いスプリングの形態の拡大可能なデバイスを含んでいる。さらに、特許文献３は、ファスナが１または２以上の加工物に画定された開口に挿入されるときまで、スプリングを解除可能にかみ合わせ、スプリングの拡大を環状のくぼみ内に制限しうる機構を開示している。該機構は、挿入された後スプリングを解除するので下方の加工物の底面に係合し、ファスナを開口内に固定することができる。しかし、特許文献３の解除機構はスプリングを元に戻す機構を備えていないので、ブラインドファスナは下方の加工物の底面に係合した後、ファスナまたは加工物のいずれかを損傷することなく容易に取り外すことができない。特許文献３の解除可能な取付けデバイスは、スプリングと取付けデバイスの頭部との間の距離の調整もできないので、ブラインドファスナは固定の厚さを有する薄板材料しか確実にかみ合わせることができない。
【０００６】
材料に画定された開口を通って延び、材料のアクセスできない側に開口を通って延びるブラインドファスナの一部を変形するように作用する、ブラインドファスナのアクセス可能な側の機構を作動することによって材料のアクセスできない側にかみ合わせることができる他のタイプのブラインドファスナが開示されている。例えば、特許文献４は、１つまたは２以上の加工物によって画定された開口を通って延びるファスナ本体を有するブラインドファスナを開示している。本体はそれを通り抜けているステムを有しており、ステムがアンビルワッシャおよびエキスパンダカラーを本体に引き込むように加工物および第１の面から引き離されて、加工物の第２の側でファスナ本体を横方向に拡大し球根状に膨らませる。同様に、特許文献５は、加工物によって画定された開口を通って延びる中空ボルトを有するブラインドファスナを開示している。特許文献５のブラインドファスナは、ネジ切りコアボルトおよび該コアボルトにかみかみ合わされる「引上げナット」も含んでおり、コアボルトが中空ボルト内を回転させられるとともに引上げナットが中空ボルトの本体部分に接して「引上げ」られて、該本体部分が変形し、その結果、変形された本体部分が加工物のアクセスできない側にかみ合う。特許文献４および特許文献５は両方とも、ブラインドファスナは、ブラインドファスナのアクセスできない部分を変形するように加工物のアクセス可能な第１の側から作動することができる。しかし、これらのファスナは両方とも加工物のアクセスできない側にかみ合うようにスリーブまたは本体の部分を変形する必要がある。しかし、これらのブラインドファスナは、一度変形されると１つまたは２以上の加工物を損傷することなく容易に取り外すことができない。その上、これらのブラインドファスナは、一度変形されると再使用することができない。
【０００７】
別のタイプのブラインドファスナは、取外しおよび再使用できるスプリングバイアスされたアクチュエータピンと少なくとも１つの回転可能なトグルを含んでいる。例えば、特許文献６は、調整可能な長さを有し、４つのトグルウィングに接続されたアクチュエータピンにスライド可能にかみ合わされ、スプリングによってバイアスされたスリーブを含むファスナデバイスを開示している。特許文献６のデバイスでは、ファスナが加工物部材を通して挿入された後、拡大されたトグルウィングに対してロックナットを締めることによって１つまたは２以上の開口された加工物部材が一緒に保持される。特許文献６のデバイスは、トグルウィングを引込み位置および拡大位置に選択的に維持する停止手段を備えていない。この制限により、特許文献６のデバイスはトグルウィングの選択的調整が不可欠である用途に適さないことになり、そのような用途の例には、ロックナットと拡大トグルウィングとの間に圧縮力を作用させることなしに加工物部材を一緒に保持することになる場合に該ファスナをもどり止めピンとして使用すること、およびアクチュエータピンが作動されていない間にトグルウィングが開口の壁ライニングに圧縮力を作用することなしにユーザが開口を通してファスナを挿入しなければならない場合に該ファスナを使用することが含まれる。特許文献６のデバイスは、加工物部材のアクセスできる側とアクセスできない側との間の連絡を可能にするような管路構成も備えていない。さらに、トグルウィングの展開はスリーブの環形を通って横方向に取り付けられた４つの対応するロックピンに対して長手方向で外向きに４つのトグルウィングを回転することによって達成されるので、特許文献６のデバイスは加工物部材のアクセスできない側に比較的大きいクリアランスを必要とする。
【特許文献１】Ｔｉｎｇｌｅｙに付与された米国特許番号第２８５７９５０号
【特許文献２】Ｂａｓｓに付与された米国特許番号第３２０２０３８号
【特許文献３】Ｆｅｒｇｕｓｏｎに付与された米国特許番号第４７２２６４９号
【特許文献４】Ｅｓｈｒａｇｈｉに付与された米国特許番号第５４２９４６４号
【特許文献５】Ｙａｍａｍｏｔｏに付与された米国特許番号第６２２４３０９号
【特許文献６】Ｋｕｂｏｋａｗａに付与された米国特許番号第３５３４６５０号
【発明の開示】
【０００８】
したがって、第１の側および第２の側を有する少なくとも１つの構成要素に画定された開口を通って延び、ファスナデバイスが該開口からおよび第１の側から選択的に取り外されないように第２の側に選択的に引き抜き可能にかみ合うことができる引込み式ファスナデバイスへの要求がある。その上さらに、製造するのが比較的容易で、取付けが簡単で、少なくとも１つの構成要素の第１の側および第２の側に確実に係合可能で、頑強で、再使用可能な引込み式ファスナデバイスへの要求がある。少なくとも１つの構成要素が様々な厚さを有することがある場合に少なくとも１つの構成要素に画定された開口内に固定するのに容易に調節できる引込み式ファスナデバイスへの要求もある。さらに、引込み式ファスナデバイスが少なくとも１つの構成要素の第２の側に選択的にかみ合わされる場合、少なくとも１つの構成要素の第１の側と第２の側との間の連絡を可能にするように構成された管路を有する引込み式ファスナデバイスへの要求がある。
【０００９】
本発明の実施形態は前記列挙された要求を満たし、以下に説明するような他の利点を提供する。本発明のファスナデバイスは、第１の側および第２の側を有する少なくとも１つの構成要素によって画定された開口を通って延びるように適合されたスリーブを備える。さらに、スリーブの第１の部分は第１の側の開口から延びるように構成され、一方、スリーブの第２の部分は第２の側の開口から延びるように構成されている。さらに、ファスナデバイスは、スリーブの第１の部分に動作可能にかみ合わされ、第１の側から作動されるように構成されたアクチュエータデバイスと、スリーブの第２の部分に動作可能にかみ合わされ、該アクチュエータデバイスに動作可能にかみ合うことができるタブデバイスとを有する。したがって、アクチュエータデバイスが操作されるとタブデバイスがアクチュエータデバイスに応答して、タブデバイスがスリーブの第２の部分から実質的に横方向で外向きに拡大され、それによってタブデバイスがアクチュエータデバイスと協働して少なくとも１つの構成要素の第２の側に選択的にかみ合うようになる。
【００１０】
いくつかの実施形態によれば、アクチュエータデバイスはスリーブ内に少なくとも部分的に配置されたスラグをさらに含み、スラグはスリーブの内側表面に対して回転できるように構成され、スラグはそこからスリットを画定するスリーブの第２の部分の方に延びている少なくとも１つのピンを有する。したがって、タブデバイスはスリーブ内に配置され、少なくとも１つのピンに動作可能にかみ合うことができる。タブデバイスはスラグが回転されるとき少なくとも１つのピンに応答して、スラグが第１の方向に回転された場合にタブデバイスがスリットを通って拡大位置に横方向で外向きに拡大し、スラグが第２の方向に回転された場合にタブデバイスがスリットを通って引込み位置に横方向で内向きに引っ込む。したがって、タブデバイスは、スリーブが開口から第１の側を通って選択的に取り外されないようにスラグと協働する。したがって、スラグを使用して、少なくとも１つの構成要素の第２の側に選択的にかみ合うようにタブデバイスを選択的に操作することができる。いくつかの実施形態によれば、スラグは、タブデバイスを引込み位置から拡大位置に拡大させるように、スリーブの内側表面に対して約２分の１未満の回転を行うことができるように構成することができる。さらに、スラグは、タブデバイスを引込み位置から拡大位置まで拡大させるように、スリーブの内側表面に対して約４分の１回転を行うことができるように構成することができる。
【００１１】
他の実施形態によれば、本発明のファスナデバイスは第１の側とスラグとの間にスリーブ内に少なくとも部分的に配置されたプラグデバイスをさらに有する。プラグデバイスは、スラグがスリーブから第１の側を通って選択的に取り外されないようにスラグに対して締められるように構成してもよい。さらに、ファスナデバイスはスリーブの第１の部分の外側表面の周囲に少なくとも部分的に配置されたナットも有してもよい。さらに、ナットは、スリーブが開口から第２の側を通って選択的に取り外されないように第１の側に対して締められるように構成してもよい。いくつかの実施形態では、本発明のファスナデバイスのスラグは、タブデバイスがスリットを通って横方向で外向きに拡大されるとき第１の側と第２の側との間でスリーブを通して連絡ができるようにスラグを通って延びる管路をさらに画定することができる。
【００１２】
本発明の実施形態は、スリーブを有するファスナデバイスを第１の側と第２の側を有する少なくとも１つの構成要素に取り付けるのを容易にする方法も提供する。該方法は、スリーブの第１の部分が第１の側の開口から延び、スリーブの第２の部分が第２の側の開口から延びるように少なくとも１つの構成要素によって画定された開口を通してファスナデバイスを挿入するステップと、該スリーブが開口から第１の側を通って選択的に取り外されないようにスリーブの第２の部分によって画定されたスリットからタブデバイスを拡大させるステップとを含む。他の実施形態によれば、該方法は、ナットを第１の側に対して固定してスリーブが開口から第２の側を通って選択的に取り外されないようにスリーブの第１の部分の外側表面のまわりに少なくとも部分的に配置されたナットを締めるステップをさらに含んでもよい。いくつかの方法実施形態では、拡大させるステップはスリーブ内に少なくとも部分的に配置されたスラグを回転するステップをさらに含んでもよい。スラグはタブデバイスに動作可能にさらにかみ合わされて、スリーブが開口から第１の側を通って選択的に取り外されないようにスリットからタブデバイスを拡大できるようにさらに構成することができる。
【００１３】
したがって、本発明のファスナデバイスおよび方法の様々な実施形態は、限定はしないが、少なくとも１つの構成要素に画定された開口に容易に取付けおよび取外しが行われる引込み可能で選択的に取外し可能なファスナデバイスを提供することと、可変の厚さを有する少なくとも１つの構成要素に画定された開口に確実に取り付けることができるファスナデバイスを提供することと、ファスナデバイスが、タブデバイスを作動して第２の側にかみ合わせるのに２分の１未満の回転を使用して少なくとも１つの構成要素の第２の側に完全にかみ合うことができることとを含む多くの利点を提供する。本発明のファスナデバイスおよび方法のいくつかの実施形態は、少なくとも１つの構成要素の第１の側と第２の側との間にファスナデバイスを通る管路を形成する追加の利点を提供する。
【００１４】
当業者には明白であるこれらの利点および他の利点が本発明のファスナデバイスおよび方法で提供される。
【発明を実施するための最良の形態】
【００１５】
次に、添付図面を参照しながら本発明をより完全に以下で説明するが、本発明のすべてではなくいくつかの実施形態を示す。実際には、これらの発明は多くの異なる形態で実施することができ、本明細書に記載された実施形態に限定されるものとして解釈されるべきでなく、むしろ、これらの実施形態はこの開示が適用可能な法定要件を満たすように提供されている。同様の数字は全体を通して同様の要素を指している。
【００１６】
図１Ａは本発明の一実施形態によるファスナデバイス１００の斜視図を示す。いくつかの実施形態では、ファスナデバイス１００は、第１の側２２０および第２の側２３０を有する少なくとも１つの構成要素２１０ａ、２１０ｂによって画定された開口２４０を通って延びるように構成されたスリーブ１１０を有する（開口２４０に取り付けられたファスナデバイス１００を示す図２Ｃ参照）。ファスナデバイス１００のスリーブ１１０は、第１の側２２０に開口２４０から延在するように構成されている第１の部分１１２、および第２の側２３０に開口２４０から延在するように構成された第２の部分１１４をさらに含む。さらに、いくつかの実施形態によれば、スリーブ１１０の第２の部分１１４はスリット１１６を画定する。
【００１７】
いくつかの実施形態において、ファスナデバイス１００は、例えばスリーブ１１０の第１の部分１１２に動作可能にかみ合い、（例えば工具デバイスで、または場合によっては手動で）第１の側から操作可能に構成されたスラグ１２０（以下でより完全に説明するように）などのアクチュエータデバイスをさらに有してもよい。さらに、ファスナデバイス１００は、スリーブの第２の部分に動作可能にかみ合い（およびいくつかの実施形態では以下により完全に説明するようにスリーブの第２の部分に接続されている）、アクチュエータデバイス（例えばスラグ１２０など）にかみ合うことができるタブデバイス１３０も有することができる。アクチュエータデバイスが操作されると、タブデバイス１３０はアクチュエータデバイスに応答して、スリーブ１１０の第２の部分１１４から実質的に横方向で外向きに延びる。したがって、タブデバイス１３０は、回転可能なスラグ１２０などのアクチュエータデバイスと協働して（以下を参照）、少なくとも１つの構成要素２１０ａ、２１０ｂの第２の側２３０に選択的にかみ合うようになることができる。
【００１８】
したがって、いくつかの実施形態によれば、ファスナデバイス１００は、少なくとも１つの構成要素２１０ａ、２１０ｂの第２の側２３０が容易にアクセスできない場合、第１の側２２０および第２の側２３０を有する少なくとも１つの構成要素２１０ａ、２１０ｂによって画定された開口２４０を通って延びるのに適する（図２Ｃ参照）。より詳細には、本発明の様々な実施形態によるファスナデバイス１００は、少なくとも１つの構成要素の２１０ａ、２１０ｂの第２の側２３０に選択的にかみ合わすことになるように第１の側２２０から操作することができる。例えば、ファスナデバイス１００を材料のアクセスできないまたは「ブラインド」の側にアクセスすることなく開口に固定する必要がある場合、ファスナデバイス１００は、設置された乾式壁に画定された開口内、航空機に設けられた機体パネルに画定された開口内、骨または軟骨などの生体材料に画定された開口内、または様々な他の材料に画定された開口内に延在させて固定することができる。
【００１９】
本発明のファスナのいくつかの実施形態では、ファスナデバイス１００は、構成要素に開口を画定するのに少なくとも１つの構成要素の２１０ａ、２１０ｂに穴をあけることができるように構成された穴あけ要素１１０ｃを有する。図１９に全体を示すように、スリーブ１１０の第２の部分１１４は、少なくとも１つの構成要素に開口を画定することができるように構成された穴あけ要素１１０ｃをさらに有してもよい。穴あけ要素１１０ｃは、図１９に全般的に示すような鋭い円錐形状および／または１つもしくは２以上の構成要素のタイプに開口を画定するのに適した他の穴あけ要素を有することができる。例えば、穴あけ要素は図２１に示すようにセルフタッピンネジ１１０ｄを有することができる（例えば木ネジ、骨ネジ、または他のファスナタイプ用として）。さらに、穴あけ要素は、ファスナデバイス１００が取り付けられるときに少なくとも１つの構成要素２１０ａ、２１０ｂを通る管路として働くことができるように、実質的に鋭い端部を画定し、中空中心部分を有する円錐台形の形状を有することもできる。
【００２０】
図１Ｂのファスナデバイス１００の分解図に示すように、アクチュエータデバイスはスリーブ１１０内に少なくとも部分的に配置され、スリーブ１１０の内側表面に対して回転可能に構成したスラグ１２０を有する。スラグ１２０は、そこからスリット１１６を画定するスリーブ１１０の第２の部分１１４の方に延びている少なくとも１つのピン１２２を有する。ファスナデバイス１００はスリーブ１１０内に配置されたタブデバイス１３０をさらに有する。タブデバイス１３０はさらに少なくとも１つのピン１２２に動作可能に係合している。したがって、タブデバイス１３０は、スラグ１２０が回転されると少なくとも１つのピン１２２に応答して、スラグ１２０が第１の方向に回転されるとスリット１１６を通って拡大位置に横方向で外向きに拡大し（図２Ｃ参照）、スラグ１２０が第２の方向に回転されるとスリット１１６を通って引込み位置に横方向で内向きに引っ込む（図２Ａ参照）。このように、タブデバイス１３０は、スリーブ１１０が開口２４０から第１の側２２０を通って選択的に取り外されないようにスラグ１２０と協働する（図２Ｂに全般的に示す）。
【００２１】
図１Ｂに示すように、スラグ１２０は、例えばプラスドライバなどの工具と係合させ選択的に回転できるように構成された第１の工具インターフェイス１２４をさらに有することができる。さらに、図９から図１２に全般的に示すように、第１の工具インターフェイス１２４はスラグ１２０の回転可能な延長部を有することができ、その結果として工具インターフェイス１２４を回転させてスラグ１２０が回転してタブデバイス１３０を作動させることができる。例えば、図１２Ａに示すように、工具インターフェイスは作動開口１２５ａを画定するレンチ１２５に動作可能にかみ合うことができるように構成された長方形延長部を有してもよく、ユーザはレンチ１２５を利用してタブデバイス１３０を操作し、ファスナデバイス１００を固定することができる。その上、レンチ１２５は、ナット１５０に動作可能にかみ合う大きさおよび形状に作られた締付け開口１２５ｂをさらに画定しており（例えば図１２Ａに示すように反対の端部に）、さらに少なくとも１つの構成要素の２１０ａ、２１０ｂの第１の側２２０（図２Ａから図２Ｃを参照）に対してナット１５０をさらに締めることができる。他の実施形態では、第１の工具インターフェイス１２４は、マイナスドライバ、六角頭ドライバ、「星」断面ドライバおよび／またはタブデバイス１３０に対してスラグ１２０（およびそこから延びる少なくとも１つのピン１２２）を選択的に回転するのに適する他の工具によってかみ合わせ選択的に回転することができるように構成してもよく、スラグ１２０が第１の方向に回転されるとタブデバイス１３０はスリット１１６を通って拡大位置に実質的に横方向で外向きに拡大し、スラグ１２０が第２の方向に回転されるとタブデバイス１３０がスリット１１６を通って引込み位置に横方向で内向きに引っ込む。
【００２２】
いくつかの実施形態によれば、本発明のファスナデバイス１００（図２１、２２に示す）は、第２のファスナデバイスのタブデバイス１３０を作動させる工具として使用することができる拡大デバイスをさらに有することができる。例えば、図２１に示すように、拡大デバイスはコード受けデバイス１５５ａ〜１５５ｃを有し、それは環状部分１５５ｂを有することができ、そこをコード、ロープ、カラビナ、ループ、フック、ファスナ、または他のデバイスおよび線が通って、多分ファスナデバイス１００が挿入される少なくとも１つの構成要素２１０ａ、２１０ｂにコードを固定することができる。さらに、コード受けデバイスの環状部分１５５ｂは、第２のファスナデバイスのプラグ挿入部１４１（図１４Ａ〜図１５Ｅに関して以下で説明するように）に動作可能に係合するよう構成された１つまたは２以上のプラグ挿入開口１５５ｃを画定してもよく、図２２に示すように、第１のファスナデバイス１００を工具として使用してスラグ１２０を回転し、それによって第２のファスナデバイス１００ａのタブデバイス１３０が拡大される（図２０Ａ、２０Ｂ、および２０Ｃに関して以下で説明するように）。他の実施形態によれば、第１のファスナデバイスの拡大デバイスは前述のように様々な異なるタイプの第１の工具インターフェイス１２４を作動することができるように構成できるので、複数の同一のファスナデバイス１００を所持するユーザはファスナデバイス１００のタブデバイスを作動させる専用工具（レンチなど）を所持する必要がない。
【００２３】
他の実施形態では、スラグ１２０（または例えば蝶ネジなどの他のアクチュエータデバイス）を手動で選択的に回転させて、タブデバイス１３０をスリット１１６を通って拡大位置に実質的に横方向で外向きに拡大させることができる。他の実施形態によれば、図１４Ａ〜図１５Ｅに全般的に示すように、ファスナデバイス１００は、ファスナデバイス１００を操作できるように構成されたプラグ挿入部１４１をさらに有し、タブデバイス１３０は少なくとも１つの構成要素に画定された開口の「ブラインド側」（図２Ａに示すように第２の側２３０など）に係合するように拡開する。そのような実施形態では、ファスナデバイス１００は、スリーブ１１０の第１の部分１１２に画定されたガイド開口１１５、スラグ１２０に画定されたスラグ開口１４６、およびスラグ開口１４６内に配置され、スラグ開口１４６から径方向で外向きに延び、少なくとも部分的にガイド開口１１５を通るプラグ挿入部１４１をさらに有することができる。いくつかの実施形態では、図１４Ａ〜図１５Ｅに全般的に示すように、ガイド開口１１５は、スリーブ１１０が開口から少なくとも１つの構成要素２１０ａ、２１０ｂの第２の側２３０通って取り外されないようにスリーブ１１０の第１の部分１１２の外側表面のまわりに少なくとも部分的に配置されたフランジ１５５に画定することができる。したがって、プラグ挿入部１４１は、スリーブ１１０に対してスラグ１２０を回転させてタブデバイス１３０の引込みおよび拡開を行うように構成することができる。様々な実施形態によれば、プラグ挿入部１４１（図１４Ａに全般的に示す）は、ファスナ１００のタブデバイス１３０を手動または簡単な工具で係合させるのに適した様々な構造を有することができる。例えば、プラグ挿入部１４１はガイド開口１１５およびスラグ開口１４６を通って延びる割りリングを有し（割りリングを開口１１５および１４６を通して挿入できるように分離できる端部を有している）、ユーザは手動でスラグ１２０を回転させてタブデバイス１３０を拡開させることができる。
【００２４】
図１５Ａ〜図１５Ｅに全般的に示す別のファスナ１００の実施形態では、プラグ挿入部１４１は、スラグ開口１４６を通って延びる直線部分と、直線部分からガイド開口１１５を通って延びる湾曲部分１４１ｃとを含む割りＤリング１４１を有する。その上、割りＤリング１４１の直線部分は、スリーブ１１０のガイド開口１１５に画定された第１のキャッチストップ１１５ａおよび第２のキャッチストップ１１５ｂの少なくとも一方に係止するよう構成された肩１４１ｂをさらに画定している。図１５Ｂ〜図１５Ｅは、ガイド開口１１５に対するプラグ挿入部１４１の位置によって決定されるファスナデバイス１００の４つの位置を示す。例えば、図１５Ｂに示すように、タブデバイス１３０がスリーブ１１０内の引込み位置にあり、プラグ挿入部１４１（割りＤリングとして示す）は、第１のキャッチストップ１１５ａと割りＤリング１４１の直線部分に画定された肩１４１ｂの少なくとも一方との協働によって保持される。図１５Ｃは、スリーブ１１０に対して引込み位置にあるタブデバイス１３０を示しているが、割りＤリング１４１（プラグ挿入部）の湾曲部分１４１ｃはフランジ１５５により形成されたもどり止めリム１１５ｄの上に弾力的に押しやられている（図１５Ａ参照）。いくつかの実施形態では、割りＤリング１４１の湾曲部分およびもどり止めリム１１５ｄは、湾曲部分１４１ｃのスイベルパスがもどり止めリム１１５ｄによって部分的に阻止されるように干渉する形状とサイズにすることができる。そのような実施形態では、割りＤリング１４１は、もどり止めリム１１５ｄを過ぎて図１５Ｃに全般的に示す上向き位置に弾力的に押しやられるるように、弾性材料（弾性重合体、金属、または複合構成要素など）から形成することができる。図１５Ｃに示した位置で、プラグ挿入部１４１の肩１４１ｂはフランジ１５５に画定されたガイド開口１１５の中間部分１１５ｃを通り、プラグ挿入部１４１（割りＤリング）はスラグ１２０をスリーブ１１０の内側表面に沿って自由に回転することができる。
【００２５】
図１５Ｄは、スリーブ１１０の内側表面に沿ってスラグ１２０を（プラグ挿入部１４１を使用して）回転させて拡開位置としたタブデバイス１３０を示している。最終的に、図１５Ｅに、タブデバイス１３０が拡開されたロック位置にあることが示されており、割りＤリング１４１の湾曲部分１４１ｃはフランジ１５５のもどり止めリム１１５ｄ上に弾性的に強制され、肩１４１ｂが回転されてしまっているので割りＤリング１４１はガイド開口１１５の中間部分１１５ｃをもはや通過することができない。したがって、図１５Ｅに全般的に示した位置では、プラグ挿入部１４１は第２のキャッチストップ１１５ｂおよび肩１４１ｂによって回転を阻止されているので、プラグ挿入部１４１を使用してスラグ１２０はスリーブ１１０の内側表面のまわりに回転させることができない。
【００２６】
図１４Ａ、１４Ｂに全般的に示すように、プラグ挿入部１４１は、スラグ開口１４６を通って延びるほぼ直線の部分を含む直線挿入部１４１も有することができる。直線挿入部１４１はガイド開口１１５から延びるテクスチャ部分１４１ａをさらに有することができ、テクスチャ部分１４１ａは単一の指先によって操作することができる。さらに、図１４Ａおよび１４Ｂに全般的に示すように、直線挿入部１４１は、第１のキャッチストップ１１５ａおよび第２のキャッチストップ１１５ｂの少なくとも一方に係止するように構成された１対の外向きにバイアスされた脚も有することができ、それに対応して引込み位置に対応する第１の位置および拡開位置に対応する第２の位置の少なくとも一方にプラグ挿入部１４１が保持される（図１４Ａに全般的に示し、直線挿入部１４１のテクスチャ部分１４１ａが第１のキャッチストップから延びている）。したがって、プラグ挿入部１４１が１対の外向きにバイアスされた脚を有する直線挿入部を含む実施形態では、直線挿入部１４１の脚はガイド開口１１５の中間部分１１５ｃによって弾性的に圧縮することができるので、スラグ１２０はユーザの指先で操作することができ、スリーブ１１０に対してタブデバイス１３０の引込みおよび／または拡開が行われる。図１４Ａ、１４Ｂに全般的に示すように、スリーブ１１０の第１の部分１１２は内側ネジ部１３９をさらに画定しており、協働する外側ネジ部を有する拡大デバイスがファスナデバイス１００を第１の側２２０に固定するのを可能にする。
【００２７】
図４Ａ、４Ｂに全般的に示すように、タブデバイス１３０はスラグ１２０から延びる少なくとも１つのピン１２２を受けることができるように構成されたガイドスロット１３２をさらに有し、タブデバイス１３０はスラグ１２０の回転によって拡開および／または引込みを行うことができる。図４Ａ、４Ｂに示すように、ガイドスロット１３２は、タブデバイス１３０を引込み位置に保持するように構成された第１のキャッチストップ１３２ａ（図４Ａ参照）とタブデバイス１３０を引込み位置に保持するよう構成された第２のキャッチストップ１３２ｂ（図４Ｂ参照）とをさらに有することができる。その上、図１Ｃに全般的に示すように、スリーブ１１０の第２の部分１１４はフロア１１８と、該フロア１１８からスリーブ１１０の第１の部分１１２の方に延びる少なくとも１つのスプリングピン１１１とをさらに有することができる。さらに、少なくとも１つのスプリングピン１１１はタブデバイス１３０に動作可能にかみ合うことができるので、タブデバイス１３０は少なくとも１つのスプリングピン１１１のまわりに回転することができ、スラグ１２０が第１の方向に回転されるとスリット１１６を通って拡開位置に横方向で外向きに拡開し（図４Ｂ参照）、スラグ１２０が第２の方向に回転されるとスリット１１６を通って引込み位置に横方向で内向きに引っ込む（図４Ａ参照）。いくつかの実施形態によれば、図４Ａ、４Ｂに全般的に示すように、第２の方向は第１の方向と反対方向であるように画定することができる。少なくとも１つのスプリングピン１１１は、図１Ｃに示すように、スリーブ１１０のフロア１１８に画定されたフロア開口１１３を通って挿入することができるが、他の実施形態では、少なくとも１つのスプリングピン１１１は、例えば単一品としてスリーブ１１０のフロア１１８に統合することができる。
【００２８】
図４Ａ、４Ｂに詳細に示すように、タブデバイス１３０は、少なくとも１つのスプリングピン１１１がタブデバイス１３０に動作可能にかみ合うように延びることができるタブ開口１３４を画定することができる。したがって、タブデバイス１３０は少なくとも１つのスプリングピン１１１のまわりに回転して、スリーブ１１０に対して引込み位置（図４Ａ参照）からスリーブに対して拡大位置（図４Ｂを参照）に移動することができる。当業者は、タブデバイスはスリーブ１１０の一部として統合および／または成型を行なうこともでき、それでもなお図４Ａ、４Ｂに示したものと同様の方法で回転することができることを理解されよう。図１Ｂ、１Ｃに関して前述したように、タブデバイス１３０はスラグ１２０から延びる少なくとも１つのピン１２２に動作可能にかみ合わされる。図４Ａ、４Ｂに示すように、スラグ１２０がスリーブ１１０に対して回転させられるとき、少なくとも１つのピン１２２はタブデバイス１３０に画定されたガイドスロット１３２を作動させることができる。したがって、スラグ１２０が回転されるとき、少なくとも１つのピン１２２はガイドスロットに対して作動することができるので、タブデバイス１３０は少なくとも１つのスプリングピン１１１に対して回転する。したがって、少なくとも１つのピン１２２が第１のキャッチストップ１３２ａから第２のキャッチストップ１３２ｂに移動すると、タブデバイス１３０は引込み位置（図４Ａ参照）から拡大位置（図４Ｂ参照）に拡大することができる。キャッチストップ１３２ａ、１３２ｂは、スラグ１２０（およびそこから延びる少なくとも１つのピン１２２）がスリーブ１１０に対して回転するのを一時的に制止するように作用することができるので、タブデバイス１３０はスリーブ１１０に対して引込み位置（図４Ａ参照）または拡大位置（図４Ｂ参照）のいずれかに少なくとも部分的に制止することができる。
【００２９】
さらに、図４Ａ、４Ｂに全般的に示すように、タブデバイス１３０に画定されたガイドスロット１３２は、タブデバイス（およびスラグ１２０とタブデバイスに動作可能にかみ合う少なくとも１つのピン１２２）の回転の範囲も画定することができるので、スリーブ１１０に対してタブデバイス１３０を引込みおよび／または拡開位置（図４Ａ、４Ｂ参照）から拡大および／または引込みを行うのにスラグ１２０は（例えば第１の工具インターフェイス１２４にかみ合う工具によって）部分的回転による回転しか必要ない。ファスナデバイス１００の下面図（第２の側２３０から見たような）を図３Ａ、３Ｂに示し、スリーブ１１０のフロア１１８に対して少なくとも１つのピン１２２の回転の範囲を示す。例えば、図３Ａに示すように、タブデバイス１３０はスリーブ１１０に対して（見えない）引込み位置にある。対照的に、図３Ｂは少なくとも１つのピン１２２がスリーブ１１０に対して約４分の１回転した結果、スリーブ１１０に対して展開位置にあるタブデバイス１３０を示している。当業者は、タブデバイス１３０およびそれに画定されたガイドスロット１３２を変形して、スリーブ１１０に対してタブデバイス１３０の拡開および／または引込みを完全に行うのに必要なスラグ１２０（およびそこから延びる少なくとも１つのピン１２２）の回転の範囲を増加および／または減少させることができるように、スラグ１２０から延びる少なくとも１つのピン１２２にかみ合わせることができることを理解されよう。
【００３０】
本発明のファスナデバイスのいくつかの実施形態によれば、図２０Ａ、２０Ｂ、および２０Ｃに全般的に示すように、スリーブ１１０はその中に（スリーブ１１０の第２の部分１１４内に配置され、第２の部分１１４に画定されたスリット１１６と連絡する）少なくとも１つのカムチャンバ１３１を画定してもよい。図２０Ａ〜図２０Ｃのファスナ１００の実施形態によれば、タブデバイス１３０のピン開口１３５はスラグ１２０から延びるピン１２２に動作可能にかみ合うことができるので、スラグ１２０が回転されるとタブデバイスはそれを通って延びるピン１２２に応答する。したがって、スラグが第１の方向に回転されると、スリーブ１１０に画定されたカムチャンバ１３１の形状により、図２０Ｃ（完全に拡開した位置）と図２０Ｂ（部分的に拡開された位置）に全般的に示すように、タブデバイス１３０をカムチャンバ１３１からスリット１１６を通って拡大位置に横方向で外向きに拡大することができる。さらに、カムチャンバ１３１に対するスラグ１２０、ピン１２２、およびタブデバイス１３０の回転により、スラグ１２０が第２の方向に回転されるとき（図２０Ａに全般的に示すように）タブデバイス１３０はスリット１１６を通ってカムチャンバ１３１内の引込み位置に横方向で内向きに引っ込む。カムチャンバ１３１はスラグ１２０から延びるピン１２２および該ビンに動作可能に係合するタブデバイス１３０を受ける形状およびサイズにすることができるので、スラグ１２０がスリーブ１１０に対して回転すると（図２０Ａ〜図２０Ｃに示すように）カムチャンバが能動的に回転し、タブデバイス１３０を拡開させる。
【００３１】
図１Ｂ、１Ｃに示すものなどのいくつかの実施形態によれば、本発明のファスナデバイス１００は、第１の側２２０（図２Ａ参照）とスラグ１２０との間のスリーブ１１０内に少なくとも部分的に配置されたプラグデバイス１４０をさらに有することができる。プラグデバイス１４０は、スラグ１２０がスリーブ１１０から第１の側２２０を通って選択的に取り外されないようにスラグ１２０に対して締めることができるように構成される。図１Ｂ、１Ｃに示すものなどのいくつかの実施形態によれば、プラグデバイス１４０は、さらにスリーブ１１０の内側表面に対して回転可能に構成することができる。プラグデバイス１４０は外側ネジ山表面１４２をさらに有し、スリーブの内側表面は外側ネジ山表面１４２と協働するように構成された内側ネジ山部分１２３をさらに有してもよい。したがって、プラグデバイス１４０は、スラグ１２０がスリーブ１１０から第１の側２２０を通って選択的に取り外されないようにスラグ１２０に対して締めることができるように構成できる（図２Ａ参照）。
【００３２】
図１Ｂに示すように、プラグデバイス１４０は、例えば六角頭ドライバなどの工具を係合し選択的に回転させることができるように構成された第２の工具インターフェイス１４４をさらに有し、他の実施形態では、第２の工具インターフェイス１４４は、マイナスドライバ、プラスドライバ、「星」断面ドライバおよび／またはスリーブ１１０の内側ネジ山部分１２３に対してプラグデバイス１４０を選択的に回転および／または締めを行うのに適する他の工具によって係合および選択的な回転を行うことができるように構成することができる。いくつかの好都合な実施形態では、第２の工具インターフェイス１４４は、第１の工具インターフェイス１２４に係合しスラグ１２０を選択的に回転させることができる工具と断面が実質的に異なる工具によって係合可能に構成されており、スリーブ１１０内のスラグ１２０を保持するようにプラグデバイス１４０をスリーブ１１０に対して回転しているときにスラグ１２０はスリーブ１１０に対して不注意で回転されることがない。
【００３３】
あるいは、プラグデバイス１４０は、プラグデバイス１４０の外側表面に配置された１つまたは２以上の弾性リング（例えばエラストマー材料を含む弾性リング）をさらに有してもよく、プラグデバイス１４０は、スラグ１２０がスリーブ１１０から第１の側２２０を通って選択的に取り外されないように第１の側２２０とスラグ１２０との間のスリーブ１１０にプレスばめすることができる。さらに、プラグデバイス１４０は様々な材料および／または外部テクスチャを有し、プラグデバイス１４０は、スラグ１２０がスリーブ１１０から第１の側２２０を通って選択的に取り外されないように第１の側２２０とスラグ１２０との間のスリーブ１１０内に保持することができる。他の実施形態によれば、ロックワッシャをスラグ１２０とプラグデバイス１４０との間でスリーブ１１０内に配置し、ロックワッシャは、スラグ１２０（およびそれに動作可能にかみ合うタブデバイス１３０）がスリーブ１１０に対して回転しないようにスラグ１２０およびプラグデバイス１４０に摩擦保持力を作用させるように構成することができる。
【００３４】
図１Ｂ、１Ｃに示すものなどのいくつかの実施形態によれば、本発明のファスナデバイス１００は、スリーブ１１０の第１の部分１１２の外側表面のまわりに少なくとも部分的に配置されたナット１５０をさらに有してもよい。その上、ナット１５０は、スリーブ１１０が開口２４０から第２の側２３０を通って選択的に取り外されないように第１の側２２０に対して締めることができるようにさらに構成することができる（全般的に図２Ｃ参照）。
【００３５】
いくつかの実施形態によれば、ナット１５０は、ナット１５０の内側表面に配置された１つまたは２以上の弾性リング（例えばエラストマー材料を含む弾性リング）をさらに有することができるので、ナット１５０は、ファスナデバイス１００が開口２４０から第２の側２３０を通って選択的に取り外されないように第１の側２２０にかみ合うようにスリーブ１１０の第１の部分１１２のまわりにプレスばめすることができる（図２Ａ参照）。さらに、ナット１５０は様々な材料および／または内部テクスチャを有することができるので、ナット１５０は、スリーブ１１０（したがってファスナデバイス１００）が開口２４０から第２の側２３０を通って選択的に取り外されないようにスリーブ１１０の第１の部分１１２のまわりに保持することができる。
【００３６】
いくつかの実施形態によれば、ナット１５０はスリーブ１１０の第１の部分１１２の外側表面に対して回転することができるようにさらに構成することができる。ナット１５０は内側ネジ山表面１５２をさらに有し、スリーブ１１０の外側表面はナット１５０の内側ネジ山表面１５２と協働することができるように構成された外側ネジ山部１１７をさらに有するので、ナット１５０は、スリーブ１１０が開口２４０から第２の側２３０を通って選択的に取り外されないように第１の側２２０に対して締めることができる（図２Ａ参照）。他の実施形態によれば、ロックワッシャはナット１５０と少なくとも１つの構成要素２１０の第１の側２２０との間のスリーブ１１０の第１の部分１１２のまわりに配置することができるので、ロックワッシャは、ナット１５０がスリーブ１１０に対して回転する（それによってナット１５０およびタブデバイス１３０の協働を介して少なくとも１つの構成要素２１０に作用している保持力が緩む（図２Ｃ参照））のを防ぐようにナット１５０および少なくとも１つの構成要素２１０の第１の側２２０に摩擦保持力を作用させるように構成することができる。
【００３７】
図２Ａ〜図２Ｃに示すように、ナット１５０は、ナット１５０が少なくとも１つの構成要素の２１０ａ、２１０ｂの第１の側２２０に接触するようにスリーブ１１０の第１の部分１１２に対してナット１５０を回転させるのに適するレンチまたは他の工具によって締められるように構成することができる。したがって、ナット１５０は、少なくとも１つの構成要素２１０（第１の薄板材料２１０ａおよび第２の薄板材料２１０ｂとして図２Ｃに示した）に画定された開口２４０内にファスナデバイス１００を保持するようにタブデバイス１３０と（図２Ｃ示すように拡大位置で）協働することができる。さらに、スリーブ１１０の外側ネジ山部分１１７はスリーブ１１０の第１の部分１１２の全長に延ばすことができるので、ナット１５０はスリーブ１１０の第１の部分１１２に対して完全に適応することができる。したがって、ナット１５０は少なくとも１つの構成要素２１０の第１の側２２０に対して締めつけることおよび／または緩めることができるので、ファスナデバイス１００は様々な厚さを有する少なくとも１つの構成要素２１０に画定された開口２４０を通って延び、保持されるのに適することができる。
【００３８】
いくつかの実施形態によれば、図１４Ａ〜図１５Ｅに全般的に示すように、ファスナデバイス１００は、スリーブ１１０が開口２４０から第２の側２３０を通って選択的に取り外されないようにスリーブ１１０の第１の部分１１２の外側表面のまわりに少なくとも部分的に配置されたフランジ１５５をさらに有することができる。したがって、少なくとも１つの構成要素２１０ａ、２１０ｂに画定された開口内にファスナデバイス１００を固定するのに、フランジ１５５は拡大されるタブデバイス１３０と協働してナット１５０と置き替わることおよび／またはそれを補強することができる。
【００３９】
図２Ａ、２Ｂ、および２Ｃは、ファスナデバイス１００が少なくとも１つの構成要素２１０に画定された開口２４０を通って延びることができる、本発明の一実施形態によるファスナデバイス１００の側面断面図を示している。描かれた実施形態では、少なくとも１つの構成要素２１０は、第１の薄板材料２１０ａ（第１の側２２０を画定する）および第２の薄板材料２１０ｂ（第２の側２３０を画定する）を有する２つの積み重ねられた薄板材料を有している。したがって、スリーブ１１０の第１の部分１１２は開口２４０から第１の側２２０に延びるように構成され、第２の部分１１４（スリット１１６を画定する）は開口２４０から第２の側２３０に延びるように構成される。
【００４０】
図２Ａに示すように、ファスナデバイス１００は第１の側２２０から開口２４０に入れることができる。開口２４０に最初に挿入する場合、スラグ１２０およびそこから延びる少なくとも１つのピン１２２は、タブデバイス１３０をスリーブ１１０に対して引込み位置（図３Ａおよび図４Ａ参照）に戻すようにスリーブ１１０に対して回転することができる。引込み位置では、タブデバイス１３０はスリーブ１１０の第２の部分に画定されたスリット１１６から横方向で外向きに延びていないので、スリーブ１１０（およびファスナデバイス１００）は第１の側２２０から開口２４０に挿入することができる。ファスナデバイス１００のいくつかの実施形態によれば、ナット１５０は、ファスナデバイス１００が開口２４０を通って第１の側２２０から第２の側２３０に完全に通り抜けないように、ファスナデバイス１００を開口２４０に挿入する前にスリーブ１１０の第１の部分１１２のまわりに配置することができる。
【００４１】
図２Ｂに示すように、スラグ１２０（およびそこから延びる少なくとも１つのピン１２２）は、開口２４０に挿入された後、例えば少なくとも１つのスプリングピン１１１に対してタブデバイス１３０を回転させるように（より完全に前述したように）スリーブ１１０に対して回転することができる。スラグ１２０を（例えばスラグを約４分の１回転させるのに適する工具によって）回転させると、その結果としてタブデバイス１３０はスリーブに対して引込み位置（図３Ａおよび図４Ａ参照）から拡大位置（図３Ｂおよび図４Ｂ参照）に拡大することができる。したがって、タブデバイス１３０は、スリーブ１１０が開口２４０から第１の側２２０を通って取り外されないようにスリーブ１１０の第２の部分１１４に画定されたスリット１１６から横方向に延びることができる。
【００４２】
いくつかのファスナ実施形態（例えば図１４Ａ、１４Ｂに示す）によれば、スリット１１６はキー溝１１６ａも含むことができ、タブデバイス１３０はキー溝１１６ａに動作可能にかみ合わされるキー表面１３０ａをさらに有することができるので、タブデバイス１３０はスラグ１２０の回転に応じて（プラグ挿入部１４１の移動（以下に全般的に説明するように）によって、または工具インターフェイス１２４を介したスラグ１２０の回転によって）ファスナ１００のスリーブ１１０から実質的に横方向で外向きの拡大および実質的に横方向で内向きの引込みを行う。したがって、キー溝１１６ａとタブデバイス１３０のキー表面１３０ａが協働して、タブデバイスがスリーブ１１０から実質的に横方向で外向きに拡大するのを確実にするので、タブデバイス１３０は、スリーブ１１０の第１の部分１１２および第２の部分１１４に作用することがある様々な剪断力およびトルク力に応じて確実にファスナデバイス１００を開口内に保持することができる。
【００４３】
図２Ｃは第１および第２の薄板材料２１０ａ、２１０ｂによってそれぞれ画定された開口２４０に保持されたファスナデバイス１００を示している。図示するように、ナット１５０は、スリーブ１１０が開口から第２の側２３０を通って取り外されないように第１の側２２０に対して締めることができる。さらに、第１および第２の薄板材料２１０ａ、２１０ｂに作用する圧縮力はファスナデバイス１００を開口２４０内に安定化させるようにも作用して、ファスナデバイス１００は開口内に効果的に保持される。
【００４４】
本発明のファスナデバイス１００の他の実施形態によれば、ファスナデバイス１００は、さらに第１の側２２０と第２の側２３０との間に少なくとも１つの構成要素２１０を通る管路を備えるように構成することができる。例えば、図５に示すように、本発明のファスナデバイス１００はいくつかの実施形態ではスラグ１２０を有することができ、該スラグ１２０はそこを通って延びる管路１２６を画定して、タブデバイス１３０がスリット１１６を通って横方向で外向きに拡大されているとき（例えば図４Ｂに示すように）、材料がスリーブ１１０を介して第１の側２２０と第２の側２３０との間を通ることができる。スリーブ１１０がフロア１１８をさらに有するいくつかの実施形態によれば、フロアは、第１の側２２０と第２の側２３０との間をスリーブ１１０を介して材料が通るのを妨げないような開口１１９も備えることもできる。この実施形態によるスラグ１２０に画定された管路１２６は、例えば、管路がスラグ１２０を回転させるのに適する六角レンチを受け入れ、それによってタブデバイス１３０を作動することができるように（より完全に前述したように）六角形の断面を有することができる。したがって、本発明のファスナデバイスのこの実施形態は、例えば、少なくとも１つの構成要素２１０の第１の側２２０と第２の側２３０との間を材料が通過する管路を備えることができる。さらに、この実施形態により、配線、コード、ロープ、流動体（空気および／または様々なタイプの液体を含む）はファスナデバイス１００を通って少なくとも１つの構成要素２１０の第２の側２３０に行くことができる。
【００４５】
図６および図７に示すように、本発明のいくつかの実施形態によるファスナデバイス１００は、スリーブ１１０の第１の部分１１２に動作可能にかみ合わされ、それから延びるように構成された延長デバイス６１０をさらに有して、少なくとも１つの構成要素２１０が多分第２の開口２４０ａを画定しそこを通って延びる第２のファスナデバイス１００ａを有する少なくとも１つの第２の構成要素２１０ｃに取り付けられるように第２のファスナデバイス１００ａから延びる第２の延長デバイス６１０ａに動作可能にかみ合うことができる。図６に示すように、延長デバイス６１０は、例えば、図７に示すように２つの延長デバイス６１０、６１０ａを接続するのに適するフランジボルト６３０（図７参照）を受け入れるように構成された接続開口６２０をさらに有することができる。接続開口６２０は、例えば、フランジボルト６３０およびそれに動作可能にかみ合わされる蝶形ナットを受け入れるように構成されたスロットをさらに有することができる（図６に全般的に示すように）。したがって、この実施形態は、２つの別個の構成要素（２つ別個の薄板２１０、２１０ｃ）の固定を可能にすると同時に、別個の薄板２１０、２１０ｃ間に所望の調整可能な間隔を可能にする。さらに、延長デバイス６１０に画定された接続開口６２０により、２つの別個の薄板２１０、２１０ｃは互いに対して非平行な構成、例えば互いに対して斜めの角度で取り付けることができる。
【００４６】
図８に示すように、本発明の別の好都合な実施形態によれば、ファスナデバイス１００は、スリーブ１１０の第１の部分１１２に動作可能にかみ合わされ、スリーブ１１０の第１の部分１１２から延びるように構成されたコード受けデバイス７１０をさらに有することができ、コード７２０を動作可能にかみ合わせることができるようにさらに構成されるので、コード７２０を少なくとも１つの構成要素２１０に取り付けることができる。コード７２０は、例えば、重合体弾性「バンジー」コード、トワイン、ストリング、もしくは他のタイプのコード材料、またはコード受け７１０を通るのに敵したコネクタ（フックまたはカラビナデバイスなど）を含むことができる。コード受け７１０はリング７１５をさらに含み、そこをコード７２０が通されその後結び目が作られて、コード７２０の直径が大きくなり、それによってリング７１５にコード７２０を保持することができる。他の実施形態では、コード７２０はリング７１５を通され、その後、コード７２０をリング７１５に保持するのに適切な大きさである物体（例えばワッシャなど）に結びつけることができ、その結果、コード７２０をコード受けデバイス７１０に取り付け、それによってファスナデバイス１００がかみ合うことができる少なくとも１つの構成要素２１０に取り付けることができる。図２１〜図２２に関して前述したように、コード受けデバイス１５５ａ〜１５５ｃの代替の実施形態は、コード、ライン、またはコネクタを受け入れるだけでなく第２のファスナデバイス１００ａを作動させる工具としても使用することができる。
【００４７】
図９〜図１３はファスナデバイス１００の代替の実施形態を示し、スラグ１２０が第１の部分１１２でスラグ１２０およびスリーブ１１０を通って挿入されるプラグ挿入部１４１ならびに少なくとも１つの構成要素２１０ａ、２１０ｂの第１の側２２０に対してファスナデバイス１００を固定する別個のナット１５０をさらに有することができる。図１０、１１に全般的に示すように、プラグ挿入部１４１は、スラグに画定されたスラグ開口１４６およびスリーブ１１０の第１の部分１１２に画定された対応するガイド開口１１５に挿入することができる。したがって、プラグ挿入部１４１は、スラグ１２０がスリーブおよび第１の側２２０から取り外されないように構成することができる（図１２Ｂ参照）。図１３Ａ、１３Ｂに全般的に示すように、タブデバイス１３０はスラグ１２０から延びる少なくとも１つのピン１２２を受け入れることができるように構成されたガイドスロット１３２をさらに有することができるので、タブデバイス１３０はスラグ１２０の回転によって拡大および／または引込みを行うことができる。さらに、プラグ挿入部１４１は、スリーブ１１０に画定されたガイド開口１１５と協働して、タブデバイス１３０がスリーブ１１０の第２の部分１１４から実質的に横方向で外向きおよび／または内向きに拡大および／または引込みを行うのに十分な角度だけスラグ１２０を回転することができるようにスリーブ１１０に対してスラグ１２０の回転移動を制限することができる。したがって、タブデバイス１３０は、少なくとも１つの構成要素の２１０ａ、２１０ｂの第２の側２３０に選択的にかみ合うようにスラグ１２０と協働することができる。例えば、図１１および図１２Ｂに示すように、ガイド開口１１５は、引込み位置に（タブデバイス１３０が図１３Ａに示すようにスリーブ１１０内に引き込まれている）プラグ挿入部１４１を保持するように構成された第１のキャッチストップ１１５ａ、および拡大位置に（タブデバイス１３０が図１３Ｂに示すように拡大され、少なくとも１つの構成要素２１０ａ、２１０ｂの第２の側２３０に動作可能にかみ合う）プラグ挿入部１４１を保持するように構成された第２のキャッチストップ１１５ｂをさらに画定することができる。
【００４８】
図１４Ａ〜図１５Ｅに関して前述した実施形態とは対照的に、図９〜図１１に示した実施形態のプラグ挿入部１４１はガイド開口１１５を通って延びることができない。したがって、この実施形態では、タブデバイス１３０は第１の工具インターフェイス１２４および対応する工具（図１２Ａに全般的に示すようなレンチ１２５など）によって作動することができる。しかし、プラグ挿入部１４１は、図９に示すようにスリーブ１１０に画定されたガイド開口１１５を通して見ることができるので、ファスナデバイス１００のユーザは、第１および第２のキャッチストップ１１５ａ、１１５ｂ（図１１および図１２Ｂ参照）に対するプラグ挿入部１４１の位置を見ることによってタブデバイス１３０の位置（例えば、拡大されたまたは引っ込められた）を識別することができる。タブデバイス１３０の状態のそのような視覚的目安は、ファスナデバイス１００がブラインド開口に挿入される実施形態、およびファスナデバイスのユーザが第１の工具インターフェイス１２４の回転に応じてタブデバイス１３０の拡大を視覚的に確認することができない実施形態に特に有用である。いくつかの実施形態では、「ＥＮＧＡＧＥ」と「ＤＩＳＥＮＧＡＧＥ」という語、または様々な絵もしくはシンボルなどの目に見えるしるしを第１および第２のキャッチストップ１１５ａ、１１５ｂに隣接するスリーブ１１０の外側表面に印刷、浮き彫り、またはエッチングして、ガイド開口１１５に画定された第１および第２のキャッチストップ１１５ａ、１１５ｂに対するプラグ挿入部１４１の目に見える端部の位置に基づいてタブデバイス１３０の位置の確実なしるしを提供することができる。
【００４９】
さらに、図１０に示すように、スリーブ１１０は、スリーブ１１０の第１の部分１１２に対するナット１５０の締付け中ファスナデバイス１００の保持（手／指グリップまたは専用の対応工具を介して）を容易にするようにスリーブ１１０の第１の部分１１２に画定されたグリップ側面１２９をさらに有することができる。しかも、図１０に示すように、スラグ１２０は、工具（図１２Ａに全般的に示すようにレンチ１２５など）にかみ合わせ作動させることができるように適合された第１の工具インターフェイス１２４をさらに有することができる。図１２Ａに示すように、レンチ１２５は、スリーブ１１０内のスラグ１２０を回転してタブデバイス１３０を少なくとも１つの構成要素の２１０ａ、２１０ｂの第２の側２３０に動作可能にかみ合わせるように第１の工具表面１２４に動作可能にかみ合い作動させる作動開口１２５ａを有することができる。さらに、レンチ１２５は、ナット１５０が少なくとも１の構成要素の２１０ａ、２１０ｂの第１の側２２０にかみ合うようにスリーブ１１０の外側ネジ山部分１１７のまわりにナット１５０を動作可能にかみあわせ回転させる締付け開口１２５ｂをさらに有することができる。図１２Ｂは、締付けプロセス中の少なくとも１つの構成要素の２１０ａ、２１０ｂに対するファスナデバイス１００の位置の側面図を示している。例えば、図１２Ｂは、ファスナデバイスを少なくとも１つの構成要素の２１０ａ、２１０ｂに画定された開口に挿入し、続いてタブデバイス１３０を拡大し、最終的にナット１５０を締めて少なくとも１つの構成要素２１０ａ、２１０ｂの両側２２０、２３０に対してファスナデバイス１００を固定するのを示している。
【００５０】
図１６Ａ〜図１８Ｄは本発明のファスナデバイス１００の別の実施形態を示し、ナット１５０はロックワッシャ部分１５０ｂと、プラグ挿入部１４１に（プラグ挿入部１４１が、（スラグ１２０を回転させ、それによってタブデバイス１３０を拡大させるのに）スリーブ１１０の第１の部分１１２に画定されたガイド開口１１５から外向きに延びる実施形態において）動作可能にかみ合うくぼみ１５０ａ（細長いスロットなど）とを有する。ナット１５０は、スリーブ１１０が開口から第２の側２３０を通って取り外されないようにスリーブ１１０の第１の部分１１２の外側表面のまわりに少なくとも部分的に配置され、第１の側２２０に対して締めることができるように構成することができる（図１８Ａ〜図１８Ｄ参照）。したがって、ナット１５０は（くぼみ１５０ａまたはタブデバイス１３０を拡大する他のインターフェイスを介して）アクチュエータデバイス（タブデバイス１３０に動作可能にかみ合う回転可能スラグ１２０など）に動作可能にかみ合うことができるので、ナット１５０はアクチュエータデバイスを第１の側２２０から作動する（および少なくとも１つの構成要素の２１０ａ、２１０ｂの第２の側２３０にかみ合うようにタブデバイス１３０を拡大する）ことができる。
【００５１】
さらに、図１６Ａに詳細に示すように、ナットは、ナット１５０から少なくとも部分的に径方向で外向きに延び、スリーブ１１０の第２の部分１１４の方に少なくとも部分的にバイアスされている複数の歯を有するロックワッシャ部分１５０ｂを有する。ロックワッシャ部分１５０ｂは、ナット１５０が少なくとも１の構成要素の２１０ａ、２１０ｂの第１の側２２０に対して締められるときスリーブ１１０の第１の部分１１２の方に変形することができるように構成することができる（例えば、図１８Ｃ参照）。したがって、ファスナデバイス１００は、ナット１５０（およびそれのロックワッシャ部分１５０ｂ）と、スリーブ１１０の第２の部分１１４から拡大するタブデバイス１３０との協働によって開口内に実質的に固定することができる。
【００５２】
図１６Ａおよび１６Ｂに示した別のファスナデバイス１００の実施形態によれば、ファスナデバイス１００はナット１５０（プラグ挿入部１４１を介して作動デバイスを動作可能にかみ合わせることができる）と、ロックリング１５１（ファスナデバイス１００のスリーブ１１０の外側表面に画定されたラチェット面１１０ａおよび歯止めキャッチ１１０ｂに対してナット１５０のかみ合わせおよび／または開放を選択的に行うことができる）との両方を有する。全般的に前述したように、ナット１５０はくぼみ１５０ａ（プラグ挿入部１４１またはタブデバイス１３０の拡大または引込みを行うことができる他のアクチュエータデバイスを受け入れ、動作可能にかみ合わせる）および歯付きロックワッシャ部分１５０ｂを有することができる。さらに、ナット１５０はリブ付き指グリップ表面１５０ｃも含むことができる（図１６Ａに示すように）ので、スラグ１２０を作動する（それによって、図１８Ａ〜図１８Ｄに全般的に示すステップの順序でタブデバイス１３０を拡大する）のにファスナデバイス１００のユーザはスリーブ１１０の外側表面に対してナット１５０をより容易に回転することができる。図１６Ａ、１６Ｂに示すように、ロッキングリング１５１はナット１５０から分離することができ、歯止めキャッチ１１０ｂ（図１６Ｂの分解図に示すようにファスナ１００のスリーブ１１０の外側表面に画定されたカットアウトなど）にかみ合うようにナット１５０に画定された歯止め開口１５０ｄを通って延びることができるように構成された歯止め部材１５１ａを含むことができる。
【００５３】
さらに、ナット１５０は、第１の位置（図１８Ａ参照）と第２の位置（図１８Ｂ参照）の間で回転することができ、前述のように、プラグ挿入部１４１がガイド開口１１５（スリーブ１１０に画定された）を通って延びるときそれを受け入れるくぼみ１５０ａを画定するので、ナット１５０はプラグ挿入部１４１と協働してスラグ１２０を回転させることができる。図１６Ａ、１６Ｂに示すように、くぼみ１５０ａが締付けプロセスの間プラグ挿入部１４１と動作可能にかみ合ったままであることができるように（図１８Ａ〜図１８Ｄに関して以下で説明するように）くぼみ１５０ａは細長いスロットを有することができる。さらに、前述の様々な実施形態で説明したように、タブデバイス１３０は、ナット１５０が回転されるときスラグ１２０に応答することができ、ナット１５０が第１の位置に回転されるときスリット１１６を通って引込み位置に横方向で内向きに引っ込み（図１８Ａ参照）、ナット１５０が第２の位置に回転されるときスリット１１６を通って拡大位置に横方向で外向きに拡大する（図１８Ｂ参照）。
【００５４】
さらに、図１６Ａおよび１６Ｂに詳細に示すように、スリーブ１１０の第１の部分１１２の外側表面は、ラチェット面１１０ａと、ナット１５０から（または、図１６Ａ、１６Ｂに示すようにナット１５０のまわりに配置された別個のロッキングリング１５１から）径方向で内向きに延びる歯止め部材１５１ａに動作可能にかみ合う歯止めキャッチ１１０ｂとの両方を画定することができる。例えば、歯止め部材１５１ａはロッキングリング１５１から（ナット１５０に画定された歯止め開口１５０ｄを通って）径方向で内向きに（スリーブ１１０の第１の部分の外側表面の方に）延びて、ナット１５０が第１の位置に回転される場合、歯止めキャッチ１１０ｂに動作可能にかみ合うことができる（図１８Ａ参照）。さらに、図１８Ｂに示すように、ナット１５０が第２の位置に回転されるとき（図１８Ｂ参照）、歯止め部材１５１ａもラチェット面１１０ａ（歯止めキャッチ１１０ｂに隣接するスリーブ１１０の外側表面上に画定された）にかみ合うことができるように回転される。したがって、ナットが第２の位置に回転される場合（図１８Ｂに示すように、タブデバイス１３０の拡大に対応して）、ナット１５０は、タブデバイス１３０が拡大位置にあるとき歯止め部材１５１ａとラチェット面１１０ａの相互作用によるラチェッティング機構を介してスリーブの第２の部分１１４に向かって進むことができる（図１８Ｃに示すように）。
【００５５】
前述し、図１６Ａ、１６Ｂに示したように、歯止め部材１５１ａは、ナット１５０から分離およびそれへの取巻きをするロッキングリング１５１に動作可能にかみ合うことができる。したがって、ナット１５０は歯止め開口１５０ｄを画定し、それを通って延びるように歯止め部材１５１ａが構成され、ラチェット面１１０ａにかみ合う。歯止め部材１５１ａは実質的に変形することができるので、ロッキングリング１５１がナット１５０に対して移動させられるとき、歯止め部材１５１ａをラチェット面１１０ａから開放することができるようにさらに構成することができる。例えば、図１８Ｄに全般的に示すように、ロッキングリング１５１はスリーブ１１０の第２の部分１１４の方に進むことができるので歯止め部材１５１ａは外向きに変形され（歯止め開口１５０ｄとの相互作用によって）、ラチェット面１１０ａから開放され、その結果、ナット１５０はスリーブ１１０の第１の部分１１２の方へ図１８Ｂに全般的に示す位置まで移動することができる。したがって、そのような実施形態によれば、ファスナデバイス１００のスリーブ１１０に対してナット１５０およびロッキングリング１５１を操作することによって、ファスナは少なくとも１つの構成要素２１０ａ、２１０ｂに画定された開口２４０にかみ合わせ、その後、選択的に開放することができる。したがって、図１８Ａ〜図１８Ｄに示した実施形態のファスナデバイス１００は、ファスナ１００が両手または工具（レンチなど）を使用するのに十分な空間がない場所に配置することができ、さらにファスナデバイス１００が、片手だけが自由なユーザによって容易に配置することができる場合に多分容易に片手で操作することができる。
【００５６】
本発明のファスナデバイス１００およびそれの構成要素は、様々な環境での使用、いくつかの異なるユーザ、および様々な材料への取付けにファスナデバイス１００を適応させるのに適する様々な異なる材料を含むことができる。例えば、スリーブ１１０、タブデバイス１３０、およびナット１５０は、少なくとも１つの構成要素に画定された開口２４０内のファスナデバイス１００を保持する耐久性のある支持表面を備えるように、例えばステンレス鋼などの固い金属材料から構成することができる。しかし、いくつかの用途では、ファスナデバイス１００の支持面が、例えば、多数のファスナデバイスの重量が少なくとも１つの構成要素の設計で配慮されることがある航空機用途におけるようなアルミニウムまたは炭素繊維複合材料を含むのは好都合なことがあり、その上、ファスナデバイス１００が管路１２６（例えば、スラグ１２０に画定された）をさらに含む本発明の実施形態では、材料が管路を通るのを容易にし、かつ／またはファスナデバイス１００のスリーブ１１０および他の構成要素を少なくとも１つの材料の第１の側２２０と第２の側２３０との間の管路を通ることがある潜在的な腐食性材料から保護するように、管路１２６の壁にＰＴＦＥまたは別の高分子材料などのライナー材料を備えるのは好都合なことがある。当業者は、本発明のファスナデバイス１００の様々な構成要素は、ファスナデバイス１００に対して選ばれた用途に適する様々な特製材料から構成することができることを認識されよう。
【００５７】
図２Ａ〜図２Ｃを再び参照して、スリーブ１１０を有するファスナデバイス１００を第１の側２２０および第２の側２３０を有する少なくとも１つの構成要素２１０に取付けるのを容易にする方法を説明する。一実施形態によれば、本発明の方法はまずファスナデバイス１００を少なくとも１つの構成要素２１０（２１０ａ、２１０ｂ）によって画定された開口２４０を通して自由に挿入するステップを含み、その結果、スリーブ１１０の第１の部分１１２が第１の側２２０の開口２４０から延び、スリーブ１１０の第２の部分１１４が第２の側２３０の開口２４０から延びる。該方法は、スリーブ１１０が開口２４０から第１の側２２０を通って選択的に取り外されないようにスリーブ１１０の第２の部分１１４によって画定されたスリット１１６からタブデバイス１３０を選択的に拡大するステップをさらに含む。
【００５８】
本発明の方法の他の実施形態によれば、前述の拡大するステップは、スリーブ１１０内に少なくとも部分的に配置されたスラグ１２０を回転させるステップをさらに含むことができ、スラグ１２０はタブデバイス１３０に動作可能にかみ合わされて、スリーブ１１０が開口２４０から第１の側２２０を通って選択的に取り外されないようにタブデバイス１３０をスリーブ１１６から拡大することができるようにさらに構成される。
【００５９】
他の実施形態によれば、本発明の方法は、スリーブ１１０が開口２４０から第２の側２３０を通って選択的に取り外されないようにナット１５０を第１の側２２０に対して固定するのにスリーブ１１０の第１の部分１１２の外側表面のまわりに少なくとも部分的に配置されたナット１５０を締めるステップと、第１の側２２０に対する締付け位置にナット１５０をロックするステップと、スラグ１２０がスリーブ１１０から第１の側２２０を通って選択的に取り外されないように第１の側２２０とスラグ１２０との間のスリーブ１１０内にプラグデバイス１４０またはプラグ挿入部１４１を挿入するステップと、スラグ１２０に対してプラグデバイス１４０またはプラグ挿入部１４１をロックするステップとをさらに含むことができる。
【００６０】
本発明の方法の他の実施形態によれば、前述のナット１５０を使用することはフランジ１５５を使用することによって置替えまたは補足することができる。
【００６１】
本発明の多くの変形形態および他の実施形態が、この発明に関連し、前述の説明および関連する図面で提示された教示の利益を有する当業者には心に浮かぶであろう。したがって、本発明は開示された特定の実施形態に限定されず、変更形態および他の実施形態は添付の特許請求の範囲内に含まれることが意図されていることを理解されるべきである。特定の用語が本明細書で使用されているが、それらは一般的で記述的な意味でのみ使用され、限定する目的で使用されない。
【図面の簡単な説明】
【００６２】
このように本発明を一般的な用語で説明したので、次に添付図面を説明するが、必ずしも縮尺で描かれていない。
【図１Ａ】本発明の一実施形態によるファスナデバイスの斜視図を示している。
【図１Ｂ】本発明の一実施形態によるファスナデバイスの分解斜視図を示している。
【図１Ｃ】本発明の一実施形態によるファスナデバイスの代替の分解斜視図を示している。
【図２Ａ】２つの積み重ねられた構成要素に画定された開口に配置された、本発明の一実施形態によるファスナデバイスの側面断面図を示しており、タブデバイスは積み重ねられた構成要素の第２の側面にかみ合っていない。
【図２Ｂ】２つの積み重ねられた構成要素に画定された開口に配置された、本発明の一実施形態によるファスナデバイスの側面断面図を示しており、タブデバイスは積み重ねられた構成要素の第２の側面にかみ合っている。
【図２Ｃ】２つの積み重ねられた構成要素に画定された開口に配置された、本発明の一実施形態によるファスナデバイスの側面断面図を示しており、タブデバイスは積み重ねられた構成要素の第２の側面にかみ合い、ナットが積み重ねられた構成要素の第１の側面にかみ合っている。
【図３Ａ】タブデバイスがスリーブに対して引込み位置にある本発明の一実施形態によるファスナデバイスの下面図を示している。
【図３Ｂ】タブデバイスがスリーブに対して拡大位置にある本発明の一実施形態によるファスナデバイスの下面図を示している。
【図４Ａ】タブデバイスがスリーブに対して引込み位置にある本発明の一実施形態によるファスナデバイスのスラグおよびタブデバイス部分の下面図を示している。
【図４Ｂ】タブデバイスがスリーブに対して拡大位置にある本発明の一実施形態によるファスナデバイスのスラグおよびタブデバイス部分の下面図を示している。
【図５】管路がスラグに画定されている本発明の一実施形態によるファスナデバイスの分解斜視図を示している。
【図６】延長デバイスをさらに含む本発明の一実施形態によるファスナデバイスの斜視図を示している。
【図７】２つのファスナデバイスの正面図を示しており、開口を画定し、そこを通って延びるファスナデバイスを有する２つの隣接する薄板材料を接続するように構成されたそれぞれの延長デバイスを両方のファスナデバイスは有する。
【図８】コード受けデバイスをさらに含むファスナデバイスの斜視図を示す。
【図９】スリーブに対するスラグの回転を制限するのにスラグとスリーブを通って延びるプラグ挿入部を含むファスナデバイスの斜視図を示している。
【図１０】スリーブに対するスラグの回転を制限するスラグおよびスリーブを通って延びるプラグ挿入部を含むファスナデバイスのオーバーヘッド分解斜視図を示している。
【図１１】スリーブに対するスラグの回転を制限するスラグおよびスリーブを通って延びるプラグ挿入部を含むファスナデバイスの下からの分解斜視図を示している。
【図１２Ａ】タブデバイスにかみ合うようにスラグを回転させ、スリーブの第２の部分の方にナットを進めることによってナットを締める工具に動作可能にかみ合わされたファスナデバイスの斜視図を示している。
【図１２Ｂ】開口を画定し、そこを通って延びるファスナデバイスを有する２つの隣接する薄板材料を接続するかみ合わせの３つの段階のファスナデバイスの正面図を示している。
【図１３Ａ】タブデバイスがスリーブに対して引込み位置にある本発明の一実施形態によるファスナデバイスのスラグおよびタブデバイス部分の下面図を示している。
【図１３Ｂ】タブデバイスがスリーブに対して拡大位置にある本発明の一実施形態によるファスナデバイスのスラグおよびタブデバイス部分の下面図を示している。
【図１４Ａ】スリーブの第１の部分のまわりに配置されたフランジと、スリーブに対するスラグの回転を制限するスラグおよびスリーブを通って延びるプラグ挿入部とを含むファスナデバイスの斜視図を示している。
【図１４Ｂ】スリーブの第１の部分のまわりに配置されたフランジと、スリーブに対するスラグの回転を制限するスラグおよびスリーブを通って延びるプラグ挿入部とを含むファスナデバイスの分解斜視図を示している。
【図１５Ａ】スリーブに対するスラグの回転を制限するスラグおよびスリーブを通って延びるプラグ挿入部を含むファスナデバイスの分解斜視図を示しており、プラグ挿入部がスラグを回転するＤリングを形成している。
【図１５Ｂ】スリーブに対するスラグの回転を制限するスラグおよびスリーブを通って延びるＤリングプラグ挿入部を含むファスナデバイスの斜視図を示しており、Ｄリングが回転され、引込み位置に対応する第１のキャッチストップにロックされている。
【図１５Ｃ】スリーブに対するスラグの回転を制限するスラグおよびスリーブを通って延びるＤリングプラグ挿入部を含むファスナデバイスの斜視図を示しており、Ｄリングが回転され、引込み位置に対応する第１のキャッチストップでロック解除されている。
【図１５Ｄ】スリーブに対するスラグの回転を制限するスラグおよびスリーブを通って延びるＤリングプラグ挿入部を含むファスナデバイスの斜視図を示しており、Ｄリングが回転され、拡大位置に対応する第２のキャッチストップでロック解除されている。
【図１５Ｅ】スリーブに対するスラグの回転を制限するスラグおよびスリーブを通って延びるＤリングプラグ挿入部を含むファスナデバイスの斜視図を示しており、Ｄリングが回転され、拡大位置に対応する第２のキャッチストップにロックされている。
【図１６Ａ】スリーブの第１の部分のまわりに配置されたプレスナットおよびロッキングリングと、スリーブに対してスラグの回転を制限するスラグ、スリーブ、およびプレスナットを通って延びるプラグ挿入部とを含むファスナデバイスの斜視図を示している。
【図１６Ｂ】スリーブの第１の部分のまわりに配置されたプレスナットおよびロッキングリングと、スリーブに対してスラグの回転を制限するスラグ、スリーブ、およびプレスナットを通って延びるプラグ挿入部とを含むファスナデバイスの分解斜視図を示している。
【図１７】スリーブの第１の部分のまわりに配置されたプレスナットおよびロッキングリングと、スリーブに対してスラグの回転を制限するスラグ、スリーブ、およびプレスナットを通って延びるプラグ挿入部とを含むファスナデバイスの正面部分断面図を示している。
【図１８Ａ】スリーブの第１の部分のまわりに配置されたプレスナットおよびロッキングリングと、スラグ、スリーブ、およびプレスナットを通って延びるプラグ挿入部とを含むファスナデバイスの正面図を示しており、スリーブが開口に挿入されている。
【図１８Ｂ】スリーブの第１の部分のまわりに配置されたプレスナットおよびロッキングリングと、スラグ、スリーブ、およびプレスナットを通って延びるプラグ挿入部とを含むファスナデバイスの正面図を示しており、スリーブが開口に挿入され、プレスナットがタブデバイスを拡大するように回転されている。
【図１８Ｃ】スリーブの第１の部分のまわりに配置されたプレスナットおよびロッキングリングと、スラグ、スリーブ、およびプレスナットを通って延びるプラグ挿入部とを含むファスナデバイスの正面図を示しており、ロッキングリングが少なくとも１つの構成要素の第１の側に対してプレスナットを固定するようにかみ合わされている。
【図１８Ｄ】スリーブの第１の部分のまわりに配置されたプレスナットおよびロッキングリングと、スラグ、スリーブ、およびプレスナットを通って延びるプラグ挿入部とを含むファスナデバイスの正面図を示しており、プレスナットが多分少なくとも１つの構成要素の第１の側に対して緩められるようにロッキングリングが開放されている。
【図１９】スリーブの第１の部分のまわりに配置されたプレスナットおよびロッキングリングと、スラグ、スリーブ、およびプレスナットを通って延びるプラグ挿入部とを含むファスナデバイスの斜視図を示しており、ファスナのスリーブが開口を画定することができるように構成された穴あけ要素を有している。
【図２０Ａ】タブデバイスがスリーブに対して引込み位置にある本発明の一実施形態によるファスナデバイスの下面断面図を示している。
【図２０Ｂ】タブデバイスがスリーブに対して部分的に拡大された位置にある本発明の一実施形態によるファスナデバイスの下面断面図を示している。
【図２０Ｃ】タブデバイスがスリーブに対して拡大位置にある本発明の一実施形態によるファスナデバイスの下面断面図を示している。
【図２１】コード受けデバイスをさらに含む本発明の一実施形態によるファスナデバイスの斜視図を示している。
【図２２】２つのファスナデバイスの斜視図を示しており、第１のファスナデバイスのコード受けが第２のファスナデバイスのアクチュエータデバイスに動作可能にかみ合わされて第２のファスナデバイスのスリーブの第２の部分からタブデバイスが外向きに拡大している。
【図１Ａ】
2008508486.tif 000003
【図１Ｂ】
2008508486.tif 000004
【図１Ｃ】
2008508486.tif 000005
【図２Ａ】
2008508486.tif 000006
【図２Ｂ】
2008508486.tif 000007
【図２Ｃ】
2008508486.tif 000008
【図３Ａ】
2008508486.tif 000009
【図３Ｂ】
2008508486.tif 000010
【図４Ａ】
2008508486.tif 000011
【図４Ｂ】
2008508486.tif 000012
【図５】
2008508486.tif 000013
【図６】
2008508486.tif 000014
【図７】
2008508486.tif 000015
【図８】
2008508486.tif 000016
【図９】
2008508486.tif 000017
【図１０】
2008508486.tif 000018
【図１１】
2008508486.tif 000019
【図１２Ａ】
2008508486.tif 000020
【図１２Ｂ】
2008508486.tif 000021
【図１３Ａ】
2008508486.tif 000022
【図１３Ｂ】
2008508486.tif 000023
【図１４Ａ】
2008508486.tif 000024
【図１４Ｂ】
2008508486.tif 000025
【図１５Ａ】
2008508486.tif 000026
【図１５Ｂ】
2008508486.tif 000027
【図１５Ｃ】
2008508486.tif 000028
【図１５Ｄ】
2008508486.tif 000029
【図１５Ｅ】
2008508486.tif 000030
【図１６Ａ】
2008508486.tif 000031
【図１６Ｂ】
2008508486.tif 000032
【図１７】
2008508486.tif 000033
【図１８Ａ】
2008508486.tif 000034
【図１８Ｂ】
2008508486.tif 000035
【図１８Ｃ】
2008508486.tif 000036
【図１８Ｄ】
2008508486.tif 000037
【図１９】
2008508486.tif 000038
【図２０Ａ】
2008508486.tif 000039
【図２０Ｂ】
2008508486.tif 000040
【図２０Ｃ】
2008508486.tif 000041
【図２１】
2008508486.tif 000042
【図２２】
2008508486.tif 000043
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
第１の側および第２の側を有する少なくとも１つの構成要素によって画定された開口を通って延びるように構成されたスリーブであって、前記スリーブの第１の部分が前記第１の側の前記開口から延びるように構成され、前記スリーブの前記第１の部分がガイド開口を画定し、前記スリーブの第２の部分が前記第２の側の前記開口から延びるように構成され、前記スリーブの前記第２の部分がスリットを画定するスリーブと、
前記スリーブの前記第１の部分に機能的に接続され、前記第１の側から作動されるように構成され、前記スリーブ内に少なくとも部分的に配置されたスラグを有するアクチュエータデバイスであって、前記スラグが前記第１の側から作動されるときスリーブの内側表面に対して回転可能に構成され、前記スラグがそれを通して少なくとも部分的に延びるスラグ開口を画定するアクチュエータデバイスと、
前記スリーブ内に配置され、前記スラグに機能的に接続可能なタブデバイスであって、前記スラグか回転すると前記スラグに応答して、前記スラグが第１の方向に回転されると前記スリットを通って拡大位置に実質的に横方向で外向きに拡開し、前記スリーブが前記開口から前記第１の側を通って取り外されないように前記少なくとも１つの構成要素の前記第２の側に機能的に係合し、前記スラグが第２の方向に回転されると前記スラグにさらに応答して前記スリットを通って引込み位置に実質的に横方向で内向きに引っ込むタブデバイスと、
前記スラグ開口内に配置され、前記スラグ開口から少なくとも部分的に前記ガイド開口を通って径方向で外向きに延び、前記スリーブに対して前記第１の方向および前記第２の方向に前記スラグを回転させることができるように構成されるプラグ挿入部であって、前記スリーブの前記第１の部分に画定された前記ガイド開口が、前記引込み位置に対応する第１の位置に前記プラグ挿入部を保持するように構成された第１のキャッチストップおよび前記拡大位置に対応する第２の位置に前記プラグ挿入部を保持するように構成された第２のキャッチストップの少なくとも一方をさらに含むプラグ挿入部とを有するファスナデバイス。
【請求項２】
前記スリーブが前記開口から前記第２の側を通って取り外されないように前記スリーブの前記第１の部分の外側表面のまわりに少なくとも部分的に配置されたフランジをさらに有する、請求項１に記載のファスナデバイス。
【請求項３】
前記スリーブが前記開口から前記第２の側を通って選択的に取り外されないように前記第１の側に対して締めることができるように構成され前記スリーブの前記第１の部分の外側表面のまわりに少なくとも部分的に配置されたナットをさらに有する、請求項１に記載のファスナデバイス。
【請求項４】
前記スリットがキー溝を含み、前記タブデバイスが、前記スラグの回転に応じて実質的に横方向で外向きに拡開および実質的に横方向で内向きに引込みを行うように前記キー溝に動作可能にかみ合うキー表面をさらに含む、請求項１に記載のファスナデバイス。
【請求項５】
前記第２の方向が前記第１の方向と反対である、請求項１に記載のファスナデバイス。
【請求項６】
前記プラグ挿入部が、ユーザが手動で前記スラグを回転させることができるように前記ガイド開口および前記スラグ開口を通って延びる割りリングと、
前記スラグ開口を通って延びる直線部分と、前記直線部分から前記ガイド開口を通って延びる湾曲部分とを含む割りＤリングと、
前記スラグ開口および前記ガイド開口を通って少なくとも部分的に延びる直線挿入部とからなる群から選ばれた構造を含む、請求項１に記載のファスナデバイス。
【請求項７】
前記引込み位置に対応する前記第１の位置および前記拡大位置に対応する前記第２の位置の少なくとも一方に前記プラグ挿入部を対応して保持するのに、前記プラグ挿入部が前記第１のキャッチストップおよび前記第２のキャッチストップの少なくとも一方に係止するよう延在可能に構成された１対の外向きにバイアスされた脚を含む、請求項１に記載のファスナデバイス。
【請求項８】
前記タブデバイスが前記スリーブの前記第２の部分から横方向で外向きに拡開するとき前記第１の側と前記第２の側との間で前記スリーブを通して連絡することができるように前記スラグがそこを通って延びる管路を画定する、請求項１に記載のファスナデバイス。
【請求項９】
前記スリーブの前記第１の部分に機能的に接続されそこから延びるように構成された延長デバイスをさらに具え、これにより、第２のファスナデバイスから延びる第２の延長デバイスと機能的に連結可能となり、前記少なくとも１つの構成要素が、内側に前記第２のファスナデバイスを通す第２の開口を確定する少なくとも１つの第２の構成要素に取り付けられることを特徴とする請求項１に記載のファスナデバイス。
【請求項１０】
前記スリーブの第１の部分に機能的に取り付けられそこから延在するようさらに構成され、前記少なくとも１つの構成要素にコードを取り付けられるよう当該コードを選択的に取り付け可能に構成されているコード受けデバイスをさらに有する、請求項１に記載のファスナデバイス。
【請求項１１】
前記コード受けデバイスが、第２のファスナデバイスの前記スリーブの前記第２の部分から実質的に横方向で外向きに前記タブデバイスを拡開すべく前記第２のファスナデバイスの前記アクチュエータデバイスを作動させることができるように、前記第２のファスナデバイスの前記アクチュエータデバイスに選択的に機能的に接続可能にさらに構成される、請求項１０に記載のファスナデバイス。
【請求項１２】
前記スリーブの前記第２の部分が前記少なくとも１つの構成要素に前記開口を画定することができるように構成された穴あけ要素をさらに含む、請求項１に記載のファスナデバイス。
【請求項１３】
第１の側および第２の側を有する少なくとも１つの構成要素によって画定された開口を通って延びるように適合されたスリーブであって、前記スリーブの第１の部分が前記第１の側の前記開口から延びるように構成され、前記スリーブの前記第１の部分がガイド開口を画定し、前記スリーブの第２の部分が前記第２の側の前記開口から延びるように構成され、前記スリーブの前記第２の部分がスリットを画定するスリーブと、
前記スリーブが前記開口から前記第２の側を通って選択的に取り外されないように前記第１の側に対して締めることができるように構成された前記スリーブの前記第１の部分の外側表面のまわりに少なくとも部分的に配置され、内部にくぼみを画定しており、第１の位置と第２の位置との間で回転可能であるナットと、
前記スリーブの前記第１の部分に機能的に接続され、前記第１の側から作動されるように構成され、前記スリーブ内に少なくとも部分的に配置されたスラグを有するアクチュエータデバイスであって、前記スラグが前記第１の側から作動されるときその内側表面に対して回転できるように構成され、前記スラグがそれを通って少なくとも部分的に延びるスラグ開口を画定するアクチュエータデバイスと、
前記スリーブ内に配置され、前記スラグに機能的に接続可能なタブデバイスであって、前記スラグが回転されるとき前記スラグに応答して、前記スラグが第１の方向に回転されると前記スリットを通って拡大位置に実質的に横方向で外向きに拡開して、前記少なくとも１つの構成要素の前記第２の側に選択的に係合し、これにより前記ファスナデバイスが前記ナットと前記タブデバイスとの協働によって前記開口内に実質的に固定され、前記スラグが第２の方向に回転されるとき前記スラグにさらに応答して前記スリットを通って引込み位置に実質的に横方向で内向きに引っ込むタブデバイスと、
前記スラグ開口内に配置され、前記スラグ開口から少なくとも部分的に前記ガイド開口を通って径方向で外向きに延び、前記スリーブに対して前記第１の方向および前記第２の方向に前記スラグを回転させることができるように構成されるプラグ挿入部とを具え、前記プラグ挿入部は、前記ナットが前記プラグと協働して前記スラグを回転させるようにガイド開口を通って前記ナットに画定された前記くぼみ内に延び、前記タブデバイスは前記ナットが回転されると前記スラグに応答して、前記ナットが前記第１の位置に回転されると前記スリットを通って前記引込み位置に横方向で内向きに引っ込み、前記ナットが前記第２の位置に回転されると前記スリットを通って前記拡大位置に横方向で外向きに拡開する、ファスナデバイス。
【請求項１４】
前記ナットが、前記ナットから少なくとも部分的に径方向に外向きに延び、前記スリーブの前記第２の部分の方に少なくとも部分的にバイアスされる複数の歯を含むロックワッシャ部分を有し、前記ロックワッシャ部分は、前記ナットが前記少なくとも１つの構成要素の前記第１の側に対して締められるとき前記スリーブの前記第１の部分の方に変形することができるように構成されている、請求項１３に記載のファスナデバイス。
【請求項１５】
前記スリーブの第２の部分が前記スリットと連絡するカムチャンバを画定し、前記スラグがそこから前記スリーブの前記第２の部分の方に延びる少なくとも１つのピンを有し、前記タブデバイスが前記カムチャンバ内に実質的に配置され、前記少なくとも１つのピンを受け入れるピン開口を画定し、前記タブデバイスは、前記スラグが回転されると前記タブデバイスがそれを通って少なくとも部分的に延びる前記少なくとも１つのピンに応答して、前記スラグが第１の方向に回転されると前記カムチャンバから前記スリットを通って拡大位置に横方向で外向きに拡開するように構成され、前記タブデバイスは前記スラグが第２の方向に回転されると前記スリットを通って前記カムチャンバ内の引込み位置に横方向で内向きに引っ込むように構成され、このようにして前記タブデバイスが、前記スリーブが前記開口から前記第１の側を通って選択的に取り外されないように前記スラグと協働する、請求項１３に記載のファスナデバイス。
【請求項１６】
前記スリットがキー溝を含み、前記タブデバイスが、前記スラグの回転に応じて実質的に横方向で外向きに拡大および実質的に横方向で内向きに引込みを行うように前記キー溝に動作可能にかみ合うキー表面をさらに含む、請求項１３に記載のファスナデバイス。
【請求項１７】
前記第２の方向が前記第１の方向と反対である、請求項１３に記載のファスナデバイス。
【請求項１８】
前記スリーブの前記第１の部分がラチェット面を画定し、前記ナットが、前記第２の位置に回転されるとき歯止め部材が前記ラチェット面にかみ合うことができるように、前記ナットが前記スリーブの前記第１の部分の方に径方向で内向きに延びる歯止め部材をさらに含み、したがって前記タブデバイスが前記拡大位置にあるとき、前記ナットが前記スリーブの前記第２の部分の方に進むことができる、請求項１３に記載のファスナデバイス。
【請求項１９】
前記歯止め部材は、前記ナットとは別にナット周囲でスライドするロッキングリングに機能的に接続されており、前記ナットは前記歯止め開口を画定し、それを通って延在し前記ラチェット面に係止するように前記歯止め部材が構成されており、前記歯止め部材は実質的に変形可能であり、これにより、前記ロッキングリングが前記ナットに対して摺動されるとき前記歯止め部材を前記ラチェット面から開放するようにさらに構成された、請求項１８に記載のファスナデバイス。
【請求項２０】
前記プラグ挿入部が、ユーザが手動で前記スラグを回転させることができるように前記ガイド開口および前記スラグ開口を通って延びる割りリングと、
前記スラグ開口を通って延びる直線部分と、前記直線部分から前記ガイド開口を通って延びる湾曲部分とを含む割りＤリングと、
前記スラグ開口および前記ガイド開口を通って少なくとも部分的に延びる直線挿入部とからなる群から選ばれた構造を含む、請求項１３に記載のファスナデバイス。
【請求項２１】
前記ガイド開口が、前記引込み位置に対応する第１の位置に前記プラグ挿入部を保持するように構成された第１のキャッチストップおよび前記拡大位置に対応する第２の位置に前記プラグ挿入部を保持するように構成された第２のキャッチストップの少なくとも一方をさらに含む、請求項１３に記載のファスナデバイス。
【請求項２２】
前記プラグ挿入部が前記第１のキャッチストップおよび前記第２のキャッチストップの少なくとも一方に係止するように延在可能に構成された１対の外向きにバイアスされた脚を具え、前記引込み位置に対応する前記第１の位置および前記拡大位置に対応する前記第２の位置の少なくとも一方に前記プラグ挿入部を対応して保持する請求項２１に記載のファスナデバイス。
【請求項２３】
前記スラグが内部を通って延びる管路を画定しており、前記タブデバイスが前記スリーブの前記第２の部分から横方向で外向きに展開されるとき前記第１の側と前記第２の側との間で前記スリーブを通して連絡可能である、請求項１３に記載のファスナデバイス。
【請求項２４】
前記スリーブの第１の部分に機能的に接続されそこから延在するよう構成された延長デバイスをさらに具え、これにより第２のファスナデバイスから延びる第２の延長デバイスに機能的に接続可能となり、これにより、前記少なくとも１つの構成要素が、第２の開口を画定しそれを通って延びる前記第２のファスナデバイスを有する少なくとも１つの第２の構成要素に取り付けられる、請求項１３に記載のファスナデバイス。
【請求項２５】
前記スリーブの前記第１の部分に機能的に接続されそこから延在するよう構成されたコード受けデバイスをさらに具え、コードを前記少なくとも１つの構成要素に取り付けられるように当該コードを機能的に取り付け可能に構成された、請求項１３に記載のファスナデバイス。
【請求項２６】
前記コード受けデバイスが、第２のファスナデバイスの前記スリーブの前記第２の部分から実質的に横方向で外向きに前記タブデバイスを拡開すべく前記第２のファスナデバイスの前記アクチュエータデバイスを作動させることができるように、前記第２のファスナデバイスの前記アクチュエータデバイスに選択的に機能的に連結可能にさらに構成される、請求項２５に記載のファスナデバイス。
【請求項２７】
前記スリーブの前記第２の部分が前記少なくとも１つの構成要素に前記開口を画定することができるように構成された穴あけ要素をさらに含む、請求項１３に記載のファスナデバイス。
【請求項２８】
第１の側および第２の側を有する少なくとも１つの構成要素によって画定された開口を通って延びるように適合されたスリーブであって、前記スリーブの第１の部分が前記第１の側の前記開口から延びるように構成され、前記スリーブの第２の部分が前記第２の側の前記開口から延びるように構成され、前記第２の部分がスリットを画定するスリーブと、
前記スリーブ内に少なくとも部分的に配置され、それの内側表面に対して回転可能に構成されたスラグであって、前記スリットを画定する前記スリーブの前記第２の部分の方にそこから延びる少なくとも１つのピンを有するスラグと、
前記スリーブ内に少なくとも部分的に配置され、前記少なくとも１つのピンに機能的に連結されるタブデバイスとを有し、当該タブデバイスは前記スラグが回転されるとき前記少なくとも１つのピンに応答して、前記スラグが第１の方向に回転されるとき前記スリットを通って拡大位置に横方向で外向きに拡開し、前記スラグが第２の方向に回転されるとき前記スリットを通って引込み位置に横方向で内向きに引っ込み、前記タブデバイスが前記少なくとも１つのピンを受け入れることができるように構成されたガイドスロットをさらに含み、前記ガイドスロットが、前記タブデバイスを前記引込み位置に保持するように構成された第１のキャッチストップおよび前記タブデバイスを前記拡大位置に保持するように構成された第２のキャッチストップの少なくとも一方を有し、それによって前記タブデバイスが、前記スリーブが前記開口から前記第１の側を通って選択的に取り外されないように前記スラグと協働する、ファスナデバイス。
【請求項２９】
前記タブデバイスを前記引込み位置から前記拡大位置まで拡開するように、前記スラグが前記スリーブの前記内側表面に対して約２分の１未満の回転を行うことができるように構成される、請求項２８に記載のファスナデバイス。
【請求項３０】
前記第２の方向が前記第１の方向と反対である、請求項２８に記載のファスナデバイス。
【請求項３１】
前記スリーブの前記第２の部分が、フロアと、前記スリーブの前記第１の位置の方に前記フロアから延びる少なくとも１つのピンとをさらに含み、前記タブデバイスが前記少なくとも１つのピンのまわりで回転すると、前記スラグが前記第１の方向に回転されるとき前記スリットを通って拡大位置に横方向で外向きに拡開し、前記スラグが前記第２の方向に回転されるとき前記スリットを通って引込み位置に横方向で内向きに引っ込むことができるように、前記少なくとも１つのピンが前記タブデバイスに機能的に接続された、請求項２８に記載のファスナデバイス。
【請求項３２】
前記スリーブと前記スラグに少なくとも部分的に隣接して配置されたプラグをさらに有し、これにより前記スラグが前記スリーブから前記第１の側を通って取り外されないように前記プラグが前記スリーブによって保持することができるように構成された、請求項２８に記載のファスナデバイス。
【請求項３３】
前記プラグが、前記スリーブに対して前記第１の方向および前記第２の方向に前記スラグを回転させることができるようにさらに構成される、請求項３２に記載のファスナデバイス。
【請求項３４】
前記スリーブが前記開口から前記第２の側を通って選択的に取り外されないように前記第１の側に対して締めることができるように構成され前記スリーブの前記第１の部分の外側表面のまわりに少なくとも部分的に配置されたナットをさらに有する、請求項２８に記載のファスナデバイス。
【請求項３５】
前記スリーブが前記開口から前記第２の側を通って取り外されないように前記スリーブの前記第１の部分の外側表面から延びる突出フランジをさらに有する、請求項２８に記載のファスナデバイス。
【請求項３６】
前記タブデバイスが前記スリットを通って横方向で外向きに拡開されるとき前記第１の側と前記第２の側との間で前記スリーブを通して連絡することができるように前記スラグがそれを通って延びる管路を画定する、請求項２８に記載のファスナデバイス。
【請求項３７】
前記スリーブの前記第１の部分に機能的に接続されそこから延びるように構成された延長デバイスをさらに具え、これにより、第２のファスナデバイスから延びる第２の延長デバイスと機能的に連結可能となり、前記少なくとも１つの構成要素が、内側に前記第２のファスナデバイスを通す第２の開口を確定する少なくとも１つの第２の構成要素に取り付け可能となる、請求項２８に記載のファスナデバイス。
【請求項３８】
前記スリーブの第１の部分に機能的に連結され、そこから延在するよう構成されることにより、コードを機能的に取り付けて当該コードが前記少なくとも１つの構成要素に取り付けられるように構成されたコード受けデバイスをさらに有する、請求項２８に記載のファスナデバイス。
【請求項３９】
前記コード受けデバイスが、前記第２のファスナデバイスの前記スリーブの前記第２の部分から横方向で外向きに前記タブデバイスを拡開すべく前記第２のファスナデバイスの前記スラグを作動させることができるように、前記第２のファスナデバイスの前記スラグに選機能的に接続可能にさらに構成される、請求項３８に記載のファスナデバイス。
【請求項４０】
前記スリーブの前記第２の部分が前記少なくとも１つの構成要素に前記開口を画定することができるように構成された穴あけ要素をさらに含む、請求項２８に記載のファスナデバイス。
【国際調査報告】
2008508486.tif 000044
2008508486.tif 000045
2008508486.tif 000046